(57)【要約】  制御部（１０）は、開閉検出部（３４）によって閉状態が検出されており、かつ、操作部（１６）を介して選択指示を受付けている場合に、第３表示装置（３２Ｂ）に対し、選択されている機能に対応付けられている簡易画面（７０）を第１表示面に表示させる。制御部（１０）はまた、開閉検出部（３４）によって開状態が検出されており、かつ、操作部（１６）を介して選択指示を受付けている場合に、第１表示装置（３１Ａ）及び第２表示装置（３２Ａ）に対し、選択されている機能に対応付けられている詳細画面（６０）を、第２表示面に表示させる。
2020262179.tif 000002
【特許請求の範囲】
【請求項１】
折り畳み可能に構成されていない第１表示面と、折り畳み可能に構成されている第２表示面とを含む表示部と、
前記第２表示面の折り畳まれている状態又は開かれている状態を検出する開閉検出部と、
ユーザーの指示が入力される入力部と、
制御部と、を備え、
前記制御部は、
前記開閉検出部によって前記折り畳まれている状態が検出されており、かつ、前記入力部を介して、実行可能な少なくとも１つの機能のうちのいずれかを選択するための選択指示を受付けている場合に、前記表示部に、選択されている前記機能についての設定を簡易的に行なうための簡易画面を、前記第２表示面が折り畳まれている状態で露出している前記第１表示面に表示させ、
前記開閉検出部によって前記開かれている状態が検出されており、かつ、前記入力部を介して前記選択指示を受付けている場合に、前記表示部に、選択されている前記機能についての設定を詳細に行なうための詳細画面を、前記開かれている状態で露出している前記第２表示面に表示させ、
前記入力部を介して、選択されている前記機能についての設定内容を受付ける、電子機器。
【請求項２】
前記制御部は、前記開閉検出部によって前記開かれている状態が検出されており、かつ、前記入力部を介して前記選択指示を受付けていない場合、前記表示部に、前記少なくとも１つの機能うちのいずれかを選択するための選択画面を、前記第２表示面に表示させる、請求項１に記載の電子機器。
【請求項３】
電源からの電力が前記表示部に供給されている通電状態と、前記電力が前記表示部に供給されていない非通電状態とを切替える切替部をさらに備え、
前記制御部は、前記開閉検出部によって前記折り畳まれている状態が検出されており、かつ、前記入力部を介して前記選択指示を受付けていない場合、前記切替部に、前記表示部の状態を前記通電状態から前記非通電状態に切替えさせる、請求項１に記載の電子機器。
【請求項４】
前記制御部は、前記表示部の状態が前記非通電状態である場合に、前記開閉検出部によって前記開かれている状態が検出されると、前記切替部に、前記表示部の状態を前記非通電状態から前記通電状態に切替えさせる、請求項３に記載の電子機器。
【請求項５】
電源からの電力が前記表示部に供給されている通電状態と、前記電力が前記表示部に供給されていない非通電状態とを切替える切替部をさらに備え、
前記制御部は、
前記表示部に前記選択画面を表示させている場合に、前記開閉検出部によって前記折り畳まれている状態が検出されると、前記切替部に、前記表示部の状態を前記通電状態から前記非通電状態に切替えさせ、
前記表示部に前記選択画面とは異なる他の画面を表示させている場合に、前記開閉検出部によって前記折り畳まれている状態が検出されると、前記切替部に、前記通電状態から前記非通電状態への切替えを実行させない、請求項２に記載の電子機器。
【請求項６】
画像を記録媒体に形成する画像形成部を備えている画像形成装置と、ネットワークを介して通信を行なう通信部とをさらに備え、
前記制御部は、前記通信部を介して、受付けた前記設定内容を前記画像形成装置に対して送信する、請求項１に記載の電子機器。
【請求項７】
請求項１に記載の電子機器と、
画像を記録媒体に形成する画像形成部と、を備え、
前記制御部は、受付けた前記設定内容にしたがって、前記画像形成部に、画像を形成させる、画像形成装置。
【発明の詳細な説明】
【技術分野】
【０００１】
本発明は、電子機器及び画像形成装置に関し、特に、設定画面を切り替えるための技術に関する。
【背景技術】
【０００２】
折り畳み可能に構成されているディスプレイを利用する技術が知られている。例えば、特許文献１には、折り畳まれている状態又は開かれている状態に応じて、通話モードを切り替える技術が開示されている。特許文献２には、折り曲げ姿勢に応じて表示領域を選択し、選択された表示領域に対して表示制御を行なう技術が開示されている。
【先行技術文献】
【特許文献】
【０００３】
【特許文献１】特表２０１４−５１１５２４号公報
【特許文献２】特開２０１８−３１８８４号公報
【発明の概要】
【０００４】
複数の機能を実行可能な装置において、操作に慣れていないユーザーは、実行を所望している機能についての設定を詳細に行なうための詳細画面がディスプレイに表示されていると、混乱してしまい、設定を適切に行なえなくなるおそれがある。一方、設定を行なうための操作に慣れているユーザーは、設定を簡易的に行なうための簡易画面がディスプレイに表示されていると、詳細な設定を行なうことができず、不便に感じるおそれがある。
【０００５】
このような場合、ユーザーは、設定画面を切替えるために、例えばタッチパネルに対するタッチ操作を行なう必要があり、手間がかかる。また、機能に応じて詳細画面と簡易画面とを使い分けたい場合には、その都度、ユーザーは、設定画面を切替えるためのタッチ操作を行なわなければならず、不便である。
【０００６】
特許文献１及び特許文献２に開示されている技術は、単に、折り畳み可能に構成されているディスプレイを利用するための技術であり、簡易画面と設定画面とを切替える技術ではないため、上記した問題を解決することはできない。
【０００７】
本発明は、上記の事情に鑑みなされたものであり、設定画面の切替えに要するユーザーの手間を省くとともに、ユーザーに適している設定画面を表示できるようにすることを目的とする。
【０００８】
本発明の一局面に係る電子機器は、折り畳み可能に構成されていない第１表示面と、折り畳み可能に構成されている第２表示面とを含む表示部と、第２表示面の折り畳まれている状態又は開かれている状態を検出する開閉検出部と、ユーザーの指示が入力される入力部と、制御部と、を備える。制御部は、開閉検出部によって折り畳まれている状態が検出されており、かつ、入力部を介して、実行可能な少なくとも１つの機能のうちのいずれかを選択するための選択指示を受付けている場合に、表示部に、選択されている機能についての設定を簡易的に行なうための簡易画面を、第２表示面が折り畳まれている状態で露出している第１表示面に表示させ、開閉検出部によって開かれている状態が検出されており、かつ、入力部を介して選択指示を受付けている場合に、表示部に、選択されている機能についての設定を詳細に行なうための詳細画面を、開かれている状態で露出している第２表示面に表示させ、入力部を介して、選択されている機能についての設定内容を受付ける。
【０００９】
本発明の他の一局面に係る画像形成装置は、上記した電子機器と、画像を記録媒体に形成する画像形成部と、を備える。制御部は、受付けた設定内容にしたがって、画像形成部に、画像を形成させる。
【００１０】
本発明によれば、ユーザーは、表示部を折り畳んだり、開いたりするという簡単な操作によって、簡易画面と詳細画面との表示の切替えを行なうことができる。したがって、表示画面の切替えに要するユーザーの手間を省くことができる。また、設定を行なうための操作に慣れていないユーザーは、詳細画面からの設定を行なわずにすむので、混乱することなく設定を行なうことができる。一方、設定を行なうための操作に慣れているユーザーは、簡易画面からの設定を行なうことなく、詳細な設定を行なうことができる。したがって、ユーザーの利便性が向上する。
【図面の簡単な説明】
【００１１】
【図１】画像形成装置の外観を示す斜視図である。
【図２】画像形成装置の内部構成を示すブロック図である。
【図３Ａ】表示部が開かれているときの状態を示す図である。
【図３Ｂ】表示部が折り畳まれているときの状態を示す図である。
【図４Ａ】表示画面変更処理を示すフローチャートである。
【図４Ｂ】表示画面変更処理を示すフローチャートである。
【図５】ホーム画面の一例を示す図である。
【図６】詳細画面の一例を示す図である。
【図７】簡易画面の一例を示す図である。
【図８】端末装置の内部構成を示すブロック図である。
【図９Ａ】表示部が開かれているときの状態を示す図である。
【図９Ｂ】表示部が折り畳まれているときの状態を示す図である。
【発明を実施するための形態】
【００１２】
以下、本発明の第１の実施形態に係る電子機器を備えている画像形成装置について図面を参照して説明する。図１は、画像形成装置の外観を示す斜視図である。図２は、画像形成装置の内部構成を示すブロック図である。図１及び図２を参照して、画像形成装置１は、ファクシミリ機能、コピー機能、プリンター機能、及びスキャナー機能等の複数の機能を備えているカラー複合機である。
【００１３】
画像形成装置１は、制御ユニット１００を含んでいる。制御ユニット１００は、プロセッサー、ＲＡＭ(Random Access Memory）、及びＲＯＭ（Read Only Memory）等を含んでいる。プロセッサーは、例えば、ＣＰＵ（Central Processing Unit）、ＭＰＵ（Micro Processing Unit）、又はＡＳＩＣ（Application Specific Integrated Circuit）等である。
【００１４】
制御ユニット１００は、ＲＯＭ又はＨＤＤ（Hard Disk Drive）１７に記憶されている制御プログラムが上記プロセッサーによって実行されることにより、制御部１０として機能する。制御部１０は、画像形成装置１の全体制御を司る。例えば、制御部１０は、表示部１５の折り畳まれている状態又は開かれている状態に応じて、表示部１５に表示されている画面を変更する処理を行なう。なお、制御部１０は、上記制御プログラムに基づく動作によらず、ハード回路によって構成されていてもよい。
【００１５】
制御ユニット１００は、画像読取部１１、画像形成部１２、定着部１３、給紙部１４、表示部１５、操作部１６、ＨＤＤ１７、搬送機構１８、画像処理部１９、画像メモリー２０、ファクシミリ通信部２１、通信部２２、及び電力供給部２４等と電気的に接続されている。制御ユニット１００、表示部１５、操作部１６、ＨＤＤ１７、及び電力供給部２４は、本発明の一実施形態に係る電子機器２として機能する。
【００１６】
画像読取部１１は、原稿台に載置されている原稿を搬送する原稿搬送部と、原稿搬送部によって搬送されてくる原稿又はプラテンガラスに載置されている原稿を光学的に読み取るスキャナーと、を含んでいるＡＤＦ（Auto Document Feeder）である。画像読取部１１は、光照射部により原稿を照射し、その反射光をＣＣＤ（Charge-Coupled Device）センサーで受光することによって、原稿を読み取って画像データを生成する。
【００１７】
画像形成部１２は、感光体ドラム、帯電装置、露光装置、現像装置、及び転写装置を含んでいる。画像形成部１２は、画像読取部１１によって生成された画像データ等に基づいて、給紙部１４から搬送されてくる記録紙に、トナー像によって構成されている画像を形成する。
【００１８】
定着部１３は、画像形成部１２によってトナー像が形成された記録紙を加熱及び加圧することによってトナー像を記録紙に定着させる。定着部１３によってトナー像が定着された記録紙は、排出トレイ８に排出される。
【００１９】
給紙部１４は、手差しトレイと、給紙カセットとを備えている。給紙部１４は、給紙カセットに収容されている記録紙、又は手差しトレイに載置されている記録紙を一枚ずつ引出して、画像形成部１２に向けて給紙する。
【００２０】
図３Ａは、表示部１５が開かれているときの状態を示す図である。図３Ｂは、表示部１５が折り畳まれているときの状態を示す図である。図３Ａを参照して、表示部１５は、略直方体形状の第１筐体３１と、略直方体形状の第２筺体３２とを含んでいる。第１筺体３１の一面には、第１表示装置３１Ａが設けられている。第２筺体３２の一面（以下「第１面」と記す。）には、第２表示装置３２Ａが設けられている。図３Ｂを参照して、第２筺体３２における第１面に対して反対側の面（以下「第２面」と記す。）には、第３表示装置３２Ｂが設けられている。
【００２１】
第１筺体３１及び第２筺体３２は、第１筐体３１及び第２筺体３２の長手方向に沿って延びている回転軸３３を介して、第１表示装置３１Ａの表示面と、第２表示装置３２Ａの表示面とが向かい合うように折り畳み可能に連結されている。以下、第１筺体３１と第２筺体３２とが成す角度が９０度を超えている場合を、表示部１５が開かれている状態（以下、「開状態」と記す。）とする。第１筺体３１と第２筺体３２とが成す角度が９０度以下である場合を、表示部１５が折り畳まれている状態（以下、「閉状態」と記す。）とする。
【００２２】
第１表示装置３１Ａ、第２表示装置３２Ａ、及び第３表示装置３２Ｂは、例えば、液晶ディスプレイによって構成されている。図３Ｂに示すように、表示部１５が閉状態である場合、第３表示装置３２Ｂの表示面が、表示部１５の鉛直方向上方、すなわち、ユーザー側に露出している状態となる。図３Ａに示すように、表示部１５が開状態である場合、第１表示装置３１Ａの表示面及び第２表示装置３２Ａの表示面が、表示部１５の鉛直方向上方、すなわち、ユーザー側に露出している状態となる。
【００２３】
制御部１０は、第３表示装置３２Ｂの表示面を、「第１表示面」として予め設定している。制御部１０はまた、第１表示装置３１Ａの表示面及び第２表示装置３２Ａの表示面を、「第２表示面」として予め設定している。制御部１０は、表示部１５に対し、画像形成装置１によって実行可能な各機能等に関する各種の画面を、第１表示面又は第２表示面に表示させる。
【００２４】
表示部１５は、表示部１５の閉状態又は開状態を検出するための開閉検出部３４を含んでいる。開閉検出部３４は、第１筺体３１に設けられているホールＩＣ(Integrated Circuit)３４Ａと、第２筺体３２に設けられている磁石３４Ｂによって構成されている。ホールＩＣ３４Ａは、磁石３４Ｂから発生している磁束密度の大きさを検出するホール素子を含んでいる。
【００２５】
ホールＩＣ３４Ａは、ホール素子によって検出されている磁束密度の大きさを示す値が予め定められている値以下である場合、表示部１５が開状態であることを示す第１信号を出力する。ホールＩＣ３４Ａは、検出された磁束密度の大きさを示す値が予め定められている値を超えている場合、表示部１５が閉状態であることを示す第２信号を出力する。
【００２６】
操作部１６は、第１表示面及び第２表示面にそれぞれ重ねて配置されているタッチパネル１６Ａを含んでいる。操作部１６はまた、各種機能の実行の開始を指示するためのスタートキー１６Ｂ等の複数のハードキーを含んでいる。ユーザーは、操作部１６を介して、画像形成装置１によって実行可能な各種機能を実行するための指示等の各種の情報を入力する。操作部１６は、特許請求の範囲における入力部の一例である。
【００２７】
ＨＤＤ１７は、画像読取部１１によって生成された画像データ等の各種データを記憶するための大容量の記憶装置である。ＨＤＤ１７は、画像形成装置１の一般的な動作を実現するための各種制御プログラムを記憶している。ＨＤＤ１７は、各種制御プログラムの１つとして、本発明の一実施形態に係る表示画面変更処理を実行するための変更プログラムを記憶している。ＨＤＤ１７は、ホーム画面を表示するための画像データ（以下、単に「ホーム画面」と記す。）を記憶している。ホーム画面は、画像形成装置１によって実行可能な複数の機能のうちのいずれかを選択するための選択画面である。
【００２８】
ＨＤＤ１７は、詳細画面を表示するための画像データ（以下、単に「詳細画面」と記す。）を、画像形成装置１において実行可能な複数の機能のそれぞれに対応付けて記憶している。詳細画面は、対応付けられている機能についての設定を詳細に行なうための画面である。ＨＤＤ１７は、簡易画面を表示するための画像データ（以下、単に「簡易画面」と記す。）を、画像形成装置１において実行可能な複数の機能のそれぞれに対応付けて記憶している。簡易画面は、対応付けられている機能についての設定を簡易的に行なうための画面である。
【００２９】
搬送機構１８は、搬送ローラー対及び排出ローラー対等から構成されている。搬送機構１８は、排出先として設定されている排出トレイ８に向けて、記録紙を搬送路に沿って搬送する。
【００３０】
画像処理部１９は、画像読取部１１によって生成された画像データに対して、必要に応じて画像処理を実行する。
【００３１】
画像メモリー２０は、画像読取部１１によって生成された出力対象の画像データを一時的に記憶する領域を含む。
【００３２】
ファクシミリ通信部２１は、公衆回線への接続を行ない、公衆回線を介して画像データの送受信を行なう。
【００３３】
通信部２２は、ＬＡＮ(Local Area Network)ボード等の通信モジュールを含んでいる。画像形成装置１は、通信部２２を介して、ネットワークを介して接続されているＰＣ(Personal Computer)等の外部装置２３とデータ通信を行なう。
【００３４】
電力供給部２４は、画像形成装置１の各部に対する電源からの電力の供給を制御する。電力供給部２４は、切替部２４Ａを含んでいる。切替部２４Ａは、電源からの電力が表示部１５及びタッチパネル１６Ａに供給されている通電状態と、電源からの電力が表示部１５及びタッチパネル１６Ａに供給されていない非通電状態とを切替えるスイッチである。
【００３５】
［動作］
図４Ａ及び図４Ｂは、表示画面変更処理を示すフローチャートである。以下、図４Ａ及び図４Ｂ等を参照して、表示画面変更処理の実行時における画像形成装置１の動作について説明する。以下、画像形成装置１の電源が投入されていないときは、表示部１５は閉状態であるものとする。
【００３６】
ユーザーは、表示部１５が閉じられている状態で、画像形成装置１の電源を投入したものとする。画像形成装置１の電源が投入されると、制御部１０は、電力供給部２４に、表示部１５を除く画像形成装置１の各部に対する電力の供給を開始させる。このとき、制御部１０は、切替部２４Ａに、表示部１５に対して電力供給を開始させることなく、表示部１５の状態を非通電状態に維持させているものとする。なお、表示部１５が非通電状態にある場合であっても、電力供給部２４は、開閉検出部３４に対しては電力を供給しているものとする。
【００３７】
制御部１０はまた、画像形成装置１の電源が投入されると、表示画面変更処理の実行を開始する。図４Ａを参照して、表示画面変更処理において、制御部１０は、開閉検出部３４から出力されてくる信号に基づいて、表示部１５が開状態であるか否かを判定する（ステップＳ１０）。このとき、制御部１０は、表示部１５が開状態ではないと判定する処理（ステップＳ１０にてＮＯ）を繰返す。
【００３８】
（１）表示部１５が開状態である場合
画像形成装置１の電源投入後、ユーザーは、表示部１５を開いたものとする。制御部１０は、開閉検出部３４から出力されてくる第１信号に基づいて、表示部１５が開状態であると判定し（ステップＳ１０にてＹＥＳ）、切替部２４Ａに、表示部１５に対する電力供給を開始させることによって、表示部１５の状態を非通電状態から通電状態に切替えさせる（ステップＳ１１）。通電状態への切替え後、制御部１０は、画像形成装置１によって実行可能な複数の機能のうちのいずれかを選択するための選択指示を受付けているか否かを判定する（ステップＳ１２）。
【００３９】
（１−１）選択指示を受付けていない場合
この場合、画像形成装置１の電源が投入された直後であり、ユーザーによる機能の選択が行なわれていないので、制御部１０は、選択指示を受付けていないと判定し（ステップＳ１２にてＮＯ）、第１表示装置３１Ａ及び第２表示装置３２Ａに、ホーム画面を表示させているか否かを判定する（ステップＳ１３）。この場合、制御部１０は、第１表示装置３１Ａ及び第２表示装置３２Ａに何も表示させていないので、ホーム画面を表示させていないと判定し（ステップＳ１３にてＮＯ）、ＨＤＤ１７から、ホーム画面を読出す（ステップＳ１４）。
【００４０】
ホーム画面の読出し後、制御部１０は、第１表示装置３１Ａ及び第２表示装置３２Ａに対し、読出されたホーム画面を第２表示面に表示させる（ステップＳ１５）。図５は、ホーム画面の一例を示す図である。図５を参照して、制御部１０は、第１表示装置３１Ａ及び第２表示装置３２Ａに対し、ソフトキーとして、コピー機能を選択するための選択指示を入力するためのキー５２、及び、送信機能を選択するための選択指示を入力するためのキー５４等を含むホーム画面５０を表示させているものとする。
【００４１】
制御部１０は、第１表示装置３１Ａに対し、ホーム画面５０における回転軸３３に直交する方向Ｘの一端側に位置している部分５０Ａを第１表示装置３１Ａの表示面に表示させ、第２表示装置３２Ａに対し、ホーム画面５０における方向Ｘの他端側に位置している部分５０Ｂを第２表示装置３２Ａの表示面に表示させている。
【００４２】
ホーム画面５０の表示後、制御部１０は、開閉検出部３４から出力されてくる信号に基づいて、表示部１５が閉状態であるか否かを判定する（ステップＳ１６）。この場合、表示部１５は開いたままであるので、制御部１０は、開閉検出部３４から出力されてくる第１信号に基づいて、表示部１５が閉状態ではないと判定し（ステップＳ１６にてＮＯ）、ステップＳ１２の処理に進む。
【００４３】
制御部１０は、選択指示を受付けるまで、又は、表示部１５が閉じられるまで、選択指示を受付けていないと判定する処理（ステップＳ１２にてＮＯ）、ホーム画面を表示させていると判定する処理（ステップＳ１３にてＹＥＳ）、並びに、ステップＳ１４の処理及びステップＳ１５の処理を実行することなく、表示部１５が閉状態ではないと判定する処理（ステップＳ１６にてＮＯ）を繰返す。
【００４４】
（１−２）選択指示を受付けている場合
ユーザーは、ホーム画面５０を確認し、キー５２をタッチしたものとする。タッチパネル１５Ａを介してキー５２に対するタッチ操作を受付けると、制御部１０は、コピー機能を選択するための選択指示を受付けていると判定し（ステップＳ１２にてＹＥＳ）、第１表示装置３１Ａ及び第２表示装置３２Ａに、選択された機能に対応付けられている詳細画面を表示させているか否かを判定する（ステップＳ１７）。
【００４５】
この場合、制御部１０は、第１表示装置３１Ａ及び第２表示装置３２Ａに、ホーム画面５０を表示させているので、詳細画面を表示させていないと判定し（ステップＳ１７にてＮＯ）、ＨＤＤ１７から、選択されている機能に対応付けられている詳細画面を読出す（ステップＳ１８）。この場合、制御部１０は、ＨＤＤ１７から、コピー機能に対応付けられている詳細画面を読出す。
【００４６】
詳細画面の読出し後、制御部１０は、第１表示装置３１Ａ及び第２表示装置３２Ａに対し、読出された詳細画面を第２表示面に表示させる（ステップＳ１９）。図６は、詳細画面の一例を示す図である。図６を参照して、詳細画面６０は、方向Ｘの一端側に位置している第１画面６０Ａと、方向Ｘの他端側に位置している第２画面６０Ｂと、を含んでいる。第１画面６０Ａは、設定対象の設定項目を選択するための画面である。第２画面６０Ｂは、選択されている設定項目についての詳細な設定を行なうための画面である。
【００４７】
この場合、制御部１０は、第１表示装置３１Ａに対し、ソフトキーとして、「用紙選択」という設定項目を選択するための指示を入力するためのキー６１、及び、「両面印刷」という設定項目を選択するための指示を入力するためのキー６２等を含む第１画面６０Ａを、第１表示装置３１Ａの表示面に表示させているものとする。ユーザーは、キー６２をタッチしたものとする。制御部１０は、タッチパネル１６Ａを介してキー６２に対するタッチ操作を受付けると、第２表示装置３２Ａに対し、選択されている「両面印刷」という設定項目についての詳細な設定を行なうための第２画面６０Ｂを、第２表示装置３２Ａの表示面に表示させる。
【００４８】
この場合、制御部１０は、第２表示装置３２Ａに対し、ソフトキーとして、片面原稿を記録紙の片面にコピーすることを示す「片面から片面」という設定値を選択するための指示を入力するためのキー６３Ａ、片面原稿を記録紙の両面にコピーすることを示す「片面から両面」という設定値を選択するための指示を入力するためのキー６３Ｂ、及び、両面原稿を記録紙の両面にコピーすることを示す「両面から両面」という設定値を選択するための指示を入力するためのキー６３Ｃ等、選択されている設定値に応じた原稿の綴じ方向を選択するための指示を入力するためのキー６４及びキー６５、選択されている設定値に応じた原稿の載置方向を選択するための指示を入力するためのキー６６、コピー機能の選択を解除するための解除指示を入力するためのキー６７、並びに、設定内容を確定するための確定指示を入力するためのキー６８を含む第２画面６０Ｂを、表示させているものとする。例えば、ユーザーが、キー６３Ａをタッチした上でキー６８をタッチすると、制御部１０は、タッチパネル１６Ａを介してキー６３Ａ及びキー６８に対するタッチ操作を受付け、表示部１５に対し、キー６２の表示内容を「片面から両面」という文字列から「片面面から片面」という文字列に変更させる。
【００４９】
詳細画面６０の表示後、制御部１０は、ステップＳ１６の処理に進む。この場合、表示部１５は開いたままであるので、制御部１０は、開閉検出部３４から出力されてくる第１信号に基づいて、表示部１５が閉状態ではないと判定し（ステップＳ１６にてＮＯ）、ステップＳ１２の処理に進む。
【００５０】
制御部１０は、表示部１５が閉じられるまで、又は、解除指示を受付けるまで、選択指示を受付けていると判定する処理（ステップＳ１２にてＹＥＳ）、詳細画面６０を表示させていると判定する処理（ステップＳ１７にてＹＥＳ）、並びに、ステップＳ１８及びステップＳ１９の処理を実行することなく、表示部１５が閉状態ではないと判定する処理（ステップＳ１６にてＮＯ）を繰返す。
【００５１】
（２）表示部１５が閉状態である場合
ユーザーは、詳細画面６０を確認して、表示部１５を閉じたものとする。制御部１０は、開閉検出部３４から出力されてくる第２信号に基づいて、表示部１５が閉状態であると判定し（ステップＳ１６にてＹＥＳ）、図４Ｂに示すように、選択指示を受付けているか否かを判定する（ステップＳ２０）。
【００５２】
（２−１）選択指示を受付けている場合
この場合、コピー機能が選択されたままであるので、制御部１０は、選択指示を受付けていると判定し（ステップＳ２０にてＹＥＳ）、第３表示装置３２Ｂに、選択された機能に対応付けられている簡易画面を表示させているか否かを判定する（ステップＳ２１）。
【００５３】
この場合、制御部１０は、第１表示装置３１Ａ及び第２表示装置３２Ａに、詳細画面６０を表示させているので、簡易画面を表示させていないと判定し（ステップＳ２１にてＮＯ）、ＨＤＤ１７から、選択されている機能に対応付けられている簡易画面を読出す（ステップＳ２２）。この場合、制御部１０は、ＨＤＤ１７から、コピー機能に対応付けられている簡易画面を読出す。
【００５４】
簡易画面の読出し後、制御部１０は、第３表示装置３２Ｂに対し、読出された簡易画面を第１表示面に表示させる（ステップＳ２３）。このとき、制御部１０は、第１表示装置３１Ａ及び第２表示装置３２Ａに対し、詳細画面６０の表示を終了させる。図７は、簡易画面の一例を示す図である。図７を参照して、この場合、制御部１０は、第３表示装置３２Ｂに対し、ソフトキーとして、「用紙選択」という設定項目についての設定値を変更するための指示を入力するためのキー７１、及び、「両面印刷」という設定項目についての設定値を変更するための指示を入力するためのキー７２等、コピー機能の選択を解除するための解除指示を入力するためのキー７３、並びに、設定内容を確定するための確定指示を入力するためのキー７４を含む簡易画面７０を、表示させているものとする。
【００５５】
例えば、ユーザーによってキー７２がタッチされると、制御部１０は、タッチパネル１６Ａを介してキー７２に対するタッチ操作を受付け、ＨＤＤ１７に予め記憶されている設定値の変更順序にしたがって、選択されている「両面印刷」という設定項目についての設定値を、現在設定されている「片面から両面」という設定値から、「両面から両面」という設定値に変更する。
【００５６】
簡易画面７０の表示後、制御部１０は、開閉検出部３４から出力されてくる信号に基づいて、表示部１５が開状態であるか否かを判定する（ステップＳ２４）。この場合、表示部１５は閉じたままであるので、制御部１０は、開閉検出部３４から出力されてくる第２信号に基づいて、表示部１５が開状態ではないと判定し（ステップＳ２４にてＮＯ）、ステップＳ２０の処理に進む。
【００５７】
制御部１０は、解除指示を受付けるまで、又は、表示部１５が開かれるまで、選択指示を受付けていると判定する処理（ステップＳ２０にてＹＥＳ）、簡易画面７０を表示させていると判定する処理（ステップＳ２１にてＹＥＳ）、並びに、ステップＳ２２及びステップＳ２３の処理を実行することなく、表示部１５が開状態ではないと判定する処理（ステップＳ２４にてＮＯ）を繰返す。
【００５８】
ユーザーは、簡易画面７０の表示にしたがってコピー機能に関する各種設定を行なった後、キー７４をタッチしたものとする。タッチパネル１６Ａを介してキー７４に対するタッチ操作を受付けると、制御部１０は、入力されている設定内容を、確定されている設定内容として受付ける。キー７４をタッチした後、ユーザーは、コピーを開始するために、画像読取部１１のプラテンガラスに原稿を載置して、スタートキー１６Ｂを押下したものとする。
【００５９】
制御部１０は、スタートキー１６Ｂの押下を検知すると、画像読取部１１に対し、確定されている設定内容にしたがって、プラテンガラスに載置されている原稿を読み取らせて画像データを生成させる。画像データの生成後、制御部１０は、画像形成部１２等に対し、生成された画像データに基づく画像を、確定されている設定内容にしたがって、記録紙に形成させる。
【００６０】
（２−２）選択指示を受付けていない場合
コピー終了後、ユーザーは、簡易画面７０のキー７３をタッチしたものとする。タッチパネル１６Ａを介してキー７３に対するタッチ操作を受付けると、制御部１０は、選択指示を受付けていないと判定し（ステップＳ２０にてＮＯ）、切替部２４Ａの切替状況に基づいて、表示部１５が通電状態であるか否かを判定する（ステップＳ２５）。
【００６１】
この場合、制御部１０は、表示部１５が通電状態であると判定し（ステップＳ２５にてＹＥＳ）、切替部２４Ａに、表示部１５に対する電力供給を切断させることによって、表示部１５の状態を通電状態から非通電状態に切替えさせる（ステップＳ２６）。これによって、表示部１５は、スリープモードに移行し、第１表示面及び第２表示面は、画面が表示されていない状態となる。
【００６２】
非通電状態への切替え後、制御部１０は、ステップＳ２４の処理に進む。この場合、表示部１５は閉じたままであるので、制御部１０は、開閉検出部３４から出力されてくる第２信号に基づいて、表示部１５が開状態ではないと判定し（ステップＳ２４にてＮＯ）、ステップＳ２０の処理に進む。
【００６３】
制御部１０は、選択指示を受付けるまで、又は、表示部１５が開かれるまで、選択指示を受付けていないと判定する処理（ステップＳ２０にてＮＯ）、表示部１５は通電状態ではないと判定する処理（ステップＳ２５にてＮＯ）、及び、ステップＳ２６の処理を実行することなく、表示部１５が開状態ではないと判定する処理（ステップＳ２４にてＮＯ）を繰返す。
【００６４】
この状態において、ユーザーによって表示部１５が開かれた場合、制御部１０は、開閉検出部３４から出力されてくる第１信号に基づいて、表示部１５が開状態であると判定し（ステップＳ２４にてＹＥＳ）、表示部１５が非通電状態であるか否かを判定する（ステップＳ２５）。この場合、制御部１０は、表示部１５が非通電状態であると判定し（ステップＳ２５にてＹＥＳ）、ステップＳ１１の処理に進む。なお、制御部１０は、表示部１５が非通電状態ではないと判定した場合（ステップＳ２５にてＮＯ）、ステップＳ１２の処理に進む。
【００６５】
第１の実施形態によれば、制御部１０は、開閉検出部３４によって閉状態が検出されており、かつ、操作部１６を介して選択指示を受付けている場合に、第３表示装置３２Ｂに対し、選択されている機能に対応付けられている簡易画面７０を第１表示面に表示させる。制御部１０はまた、開閉検出部３４によって開状態が検出されている場合であって、操作部１６を介して選択指示を受付けている場合に、第１表示装置３１Ａ及び第２表示装置３２Ａに対し、選択されている機能に対応付けられている詳細画面６０を、第２表示面に表示させる。
【００６６】
これによって、ユーザーは、表示部１５を折り畳んだり、開いたりするという簡単な操作によって、簡易画面７０と詳細画面６０との表示の切替えを行なうことができる。したがって、設定画面の切替えに要するユーザーの手間を省くことができる。また、設定を行なうための操作に慣れていないユーザーは、詳細画面６０からの設定を行なわずにすむので、混乱することなく設定を行なうことができる。一方、設定を行なうための操作に慣れているユーザーは、簡易画面７０からの設定を行なうことなく、詳細な設定を行なうことができる。したがって、ユーザーの利便性が向上する。
【００６７】
また第１の実施形態によれば、制御部１０は、開閉検出部３４によって開状態が検出されており、かつ、操作部１６を介して選択指示を受付けていない場合、第１表示装置３１Ａ及び第２表示装置３２Ａに対し、ホーム画面５０を第２表示面に表示させる。これによって、ユーザーは、複数の機能のうちのいずれも選択していない場合に、表示部１５を開くという簡単な操作によって、ホーム画面５０を表示させることができる。これによって、ユーザーは、複数の機能うちのいずれかを選択するための操作を必要に応じて容易に行なうことができる。
【００６８】
また第１の実施形態によれば、制御部１０は、開閉検出部３４によって閉状態が検出されており、かつ、操作部１６を介して選択指示を受付けていない場合、切替部２４Ａに、表示部１５の状態を通電状態から非通電状態に切替えさせる。これによって、ユーザーは、表示部１５を折り畳むという簡単な操作によって、表示部１５の状態を非通電状態に切替えることができる。したがって、ユーザーは、無駄な電力の消費を容易に抑えることができる。
【００６９】
また第１の実施形態によれば、制御部１０は、表示部１５の状態が非通電状態である場合に、開閉検出部３４によって開状態が検出されると、切替部２４Ａに、表示部１５の状態を非通電状態から通電状態に切替えさせる。これによって、ユーザーは、表示部１５を開くという簡単な操作によって、表示部１５の状態を非通電状態から通電状態に切替えることができる。したがって、ユーザーの利便性がより一層向上する。
【００７０】
また第１の実施形態によれば、制御部１０は、受付けた設定内容にしたがって、画像形成部１２等に画像を形成させる。これによって、ユーザーは、画像形成装置１に備えられている電子機器２を用いて、画像形成部１２等において実行可能である、例えばコピー機能、ファクシミリ機能、又はプリンター機能等の複数の機能のうちの選択されている機能についての設定を行なうことができるので、ユーザーの利便性がより一層向上する。
【００７１】
（第１の変形例）
上記第１の実施形態では、制御部１０は、ステップＳ２５の処理において、表示部１５が通電状態であるか否かを判定したが、本発明はそのような実施形態に限定されない。例えば、制御部１０は、ステップＳ２５の処理において、第１表示装置３１Ａ及び第２表示装置３２Ａにホーム画面５０を表示させているか否かを判定する構成であってもよい。
【００７２】
この場合、制御部１０は、第１表示装置３１Ａ及び第２表示装置３２Ａに対し、ホーム画面５０を表示させている場合に（ステップＳ２５にてＹＥＳ）、ステップＳ２６の処理に進む。一方、制御部１０は、第１表示装置３１Ａ及び第２表示装置３２Ａに対し、ホーム画面５０を表示させておらず、ホーム画面５０とは異なる他の画面を表示させている場合に（ステップＳ２５にてＮＯ）、ステップＳ２４の処理に進む。
【００７３】
なお、例えば、制御部１０は、タッチパネル１６Ａを介してキー５６に対するタッチ操作を受付けると、第１表示装置３１Ａ及び第２表示装置３２Ａに対し、第２表示面に、例えば、表示部１５の開閉状態に応じた表示画面についての説明を示すヘルプ画面等の、ホーム画面５０とは異なる他の画面を表示させるものとする。
【００７４】
第１の変形例によれば、制御部１０は、第１表示装置３１Ａ及び第２表示装置３２Ａにホーム画面５０を表示させている場合に、開閉検出部３４によって閉状態が検出されると、切替部２４Ａに、表示部１５の状態を通電状態から非通電状態に切替えさせる。制御部１０はまた、第１表示装置３１Ａ及び第２表示装置３２Ａにホーム画面５０とは異なる他の画面を表示させている場合に、開閉検出部３４によって閉状態が検出されると、切替部２４Ａに、上記した通電状態から非通電状態への切替えを実行させない。
【００７５】
これによって、ユーザーは、ホーム画面５０が表示されているとき、すなわち、選択指示を受付けておらず、ユーザーによって、画像形成装置１において実行可能な複数の機能のうちのいずれも選択されていない場合に、表示部１５を折り畳むことによって、表示部１５の状態を非通電状態に切替えることができる。このように、ユーザーによって機能が選択されておらず、ユーザーが画像形成装置１の使用を所望している可能性の低い場合に、表示部１５の状態が非通電状態に切替えられるので、無駄な電力の消費を容易に抑えることができる。ユーザーはまた、例えばヘルプ画面等のホーム画面５０とは異なる画面が表示されているとき、すなわち、ユーザーによる何らかの操作が実施されている場合には、表示部１５を折り畳んだとしても、表示部１５の状態を通電状態に維持することができる。このように、ユーザーによる何らかの操作が実施されており、ユーザーが画像形成装置１の使用を所望している可能性が高い場合には、表示部１５の状態が非通電状態に切替えられてしまうことを防ぐことができる。
【００７６】
（第２の実施形態）
第１の実施形態では、電子機器２は画像形成装置１に備えられていたが、本発明はそのような実施形態に限定されない。本発明の第２の実施形態は、電子機器が画像形成装置１とは別個に設けられている点を除き、第１の実施形態と同じである。以下、本発明の第２の実施形態に係る電子機器としての端末装置について図面を参照して説明する。
【００７７】
図８は、端末装置の内部構成を示すブロック図である。図８を参照して、端末装置３は、タブレット型の表示装置である。端末装置３は、制御ユニット２００を含んでいる。制御ユニット２００は、表示部８１、タッチパネル８２、開閉検出部８３、記憶部８４、通信部８５、及び、電力供給部８６等と電気的に接続されている。
【００７８】
制御ユニット２００は、プロセッサー、ＲＡＭ、及びＲＯＭ等を含んでいる。プロセッサーは、例えば、ＣＰＵ、ＭＰＵ、又はＡＳＩＣ等である。制御ユニット２００は、ＲＯＭ又は記憶部８４に記憶されている制御プログラムが上記プロセッサーによって実行されることにより、制御部８０として機能する。
【００７９】
制御部８０は、端末装置３の全体制御を司る。例えば、制御部８０は、表示部８１の折り畳まれている状態又は開かれている状態に応じて、表示部８１に表示されている画面を変更する処理を行なう。制御部８０はまた、ネットワークを介して接続されている画像形成装置１との通信を制御する。なお、制御部８０は、上記制御プログラムに基づく動作によらず、ハード回路によって構成されていてもよい。
【００８０】
図９Ａは、表示部が開かれているときの状態を示す図である。図９Ｂは、表示部が折り畳まれているときの状態を示す図である。図９Ａを参照して、表示部８１は、略直方体形状の筐体９１を含んでいる。筐体９１の一面には、表示装置９２が設けられている。表示装置９２は、例えば、液晶ディスプレイによって構成されている。
【００８１】
タッチパネル８２は、表示装置９２に重ねて配置されている。ユーザーは、タッチパネル８２を介して、端末装置３によって実行可能な各種機能を実行するための指示等の各種の情報を入力する。タッチパネル８２は、特許請求の範囲における入力部の一例である。
【００８２】
図９Ｂを参照して、筐体９１、表示装置９２、及びタッチパネル８２は、中心線９３を中心として、表示装置９２の表示面が外側に露出している状態で折り畳み可能に構成されている。表示装置９２の表示面は、折り畳まれることによって、中心線９３と直交する方向Ｙの一端側に位置している表示領域９２Ａと、方向Ｙの他端側に位置している表示領域９２Ｂと、に分割される。
【００８３】
以下、表示領域９２Ａと表示領域９２Ｂとがなす角度が９０度を超えている場合を、表示部８１が開かれている状態（以下、「開状態」と記す。）とする。表示領域９２Ａと表示領域９２Ｂとがなす角度が９０度以下である場合を、表示部８１が折り畳まれている状態（以下、「閉状態」と記す。）とする。
【００８４】
制御部８０は、表示部８１が閉状態である場合において、端末装置３の鉛直方向上方に露出している表示領域９２Ａ又は表示領域９２Ｂを「第１表示面」に設定する。例えば、図９Ｂに示すように、表示部８１が閉じられている場合、表示領域９２Ｂが端末装置３の鉛直方向上方に露出しているので、制御部１０は、表示領域９２Ｂを「第１表示面」に設定する。
【００８５】
制御部８０はまた、表示装置９２の表示面全体、すなわち表示領域９２Ａ及び表示領域９２Ｂを「第２表示面」として予め設定している。例えば、図９Ａは、表示部８１が開状態である場合に、第２表示面が、端末装置３の鉛直方向上方に露出している状態を示す。制御部８０は、表示部８１に対し、画像形成装置１によって実行可能な各機能等に関する各種の画面を、第１表示面又は第２表示面に表示させる。
【００８６】
開閉検出部８３は、３軸加速度センサーを含んでいる。３軸加速度センサーは、３軸方向における表示部８１の動きを加速度として検出し、検出された加速度を示す信号を出力する。
【００８７】
記憶部８４は、フラッシュメモリー等の記憶装置である。記憶部８４は、端末装置３の一般的な動作を実現するための各種制御プログラムを記憶している。記憶部８４は、各種制御プログラムの１つとして、第１の実施形態と同じ表示画面変更処理を実行するための変更プログラムを記憶している。
【００８８】
記憶部８４は、ホーム画面を記憶している。記憶部８４は、詳細画面を、画像形成装置１において実行可能な複数の機能のそれぞれに対応付けて記憶している。記憶部８４は、簡易画面を、画像形成装置１において実行可能な複数の機能のそれぞれに対応付けて記憶している。
【００８９】
通信部８５は、通信モジュールを含んでいる。端末装置３は、通信部８５を介して、ネットワークを介して接続されている画像形成装置１とデータ通信を行なう。
【００９０】
電力供給部８６は、端末装置３の各部に対する電源からの電力の供給を制御する。電力供給部８６は、切替部８６Ａを含んでいる。切替部８６Ａは、電源からの電力が表示部８１及びタッチパネル８２に供給されている通電状態と、電源からの電力が表示部８１及びタッチパネル８２に供給されていない非通電状態とを切替えるスイッチである。
【００９１】
［動作］
以下、図４Ａ及び図４Ｂ等を参照して、表示画面変更処理の実行時における端末装置３の動作について説明する。以下、端末装置３の電源が投入されていないときは、表示部８１は閉状態であるものとする。
【００９２】
ユーザーは、表示部８１が閉じられている状態で、端末装置３の電源を投入したものとする。端末装置３の電源が投入されると、制御部８０は、電力供給部８６に、表示部８１を除く端末装置３の各部に対する電力の供給を開始させる。このとき、制御部８０は、切替部８６Ａに、表示部８１に対して電力供給を開始させることなく、表示部８１の状態を非通電状態に維持させているものとする。なお、表示部８１が非通電状態にある場合であっても、電力供給部８６は、開閉検出部８３に対しては電力を供給しているものとする。
【００９３】
制御部８０はまた、端末装置３の電源が投入されると、表示画面変更処理の実行を開始する。図４Ａを参照して、表示画面変更処理において、制御部８０は、開閉検出部８３から出力されてくる信号に基づいて、表示部８１が開状態であるか否かを判定する（ステップＳ１０）。
【００９４】
具体的には、制御部８０は、開閉検出部８３から出力されてくる信号に基づいて表示領域９２Ａと表示領域９２Ｂとがなす角度を算出し、算出された角度が９０度を超えている場合に、表示部８１が開状態であると判定する。制御部８０は、算出された角度が９０度以下である場合に、表示部８１が閉状態であると判定する。このとき、制御部１０は、表示部１５が開状態ではないと判定する処理（ステップＳ１０にてＮＯ）を繰返す。
【００９５】
（１）表示部８１が開状態である場合
端末装置３の電源投入後、ユーザーは、表示部８１を開いたものとする。制御部８０は、開閉検出部８３から出力されてくる信号に基づいて、表示部８１が開状態であると判定し（ステップＳ１０にてＹＥＳ）、切替部８６Ａに、表示部８１の状態を非通電状態から通電状態に切替えさせる（ステップＳ１１）。通電状態への切替え後、制御部８０は、画像形成装置１によって実行可能な複数の機能のうちのいずれかを選択するための選択指示を受付けているか否かを判定する（ステップＳ１２）。
【００９６】
（１−１）選択指示を受付けていない場合
この場合、端末装置３の電源が投入された直後であり、ユーザーによる機能の選択が行なわれていないので、制御部８０は、選択指示を受付けていないと判定し（ステップＳ１２にてＮＯ）、表示装置９２に、ホーム画面５０を表示させているか否かを判定する（ステップＳ１３）。この場合、制御部８０は、表示装置９２に何も表示させていないので、ホーム画面５０を表示させていないと判定し（ステップＳ１３にてＮＯ）、記憶部８４から、ホーム画面５０を読出す（ステップＳ１４）。
【００９７】
ホーム画面５０の読出し後、制御部８０は、表示装置９２に対し、読出されたホーム画面５０を第２表示面に表示させる（ステップＳ１５）。制御部８０は、表示装置９２に対し、ホーム画面５０における部分５０Ａを表示領域９２Ａに表示させ、ホーム画面５０における部分５０Ｂを表示領域９２Ｂに表示させている。このようにして、制御部８０は、ホーム画面５０を表示装置９２の表示面全体に表示させる。
【００９８】
ホーム画面５０の表示後、制御部８０は、開閉検出部８３から出力されてくる信号に基づいて、表示部８１が閉状態であるか否かを判定する（ステップＳ１６）。この場合、表示部８１は開いたままであるので、制御部８０は、表示部８１が閉状態ではないと判定し（ステップＳ１６にてＮＯ）、ステップＳ１２の処理に進む。
【００９９】
制御部８０は、選択指示を受付けるまで、又は、表示部８１が閉じられるまで、選択指示を受付けていないと判定する処理（ステップＳ１２にてＮＯ）、ホーム画面５０を表示させていると判定する処理（ステップＳ１３にてＹＥＳ）、並びに、ステップＳ１４の処理及びステップＳ１５の処理を実行することなく、表示部８１が閉状態ではないと判定する処理（ステップＳ１６にてＮＯ）を繰返す。
【０１００】
（１−２）選択指示を受付けている場合
ユーザーは、ホーム画面５０を確認し、キー５２をタッチしたものとする。タッチパネル８２を介してキー５２に対するタッチ操作を受付けると、制御部８０は、コピー機能を選択するための選択指示を受付けていると判定し（ステップＳ１２にてＹＥＳ）、表示装置９２に、選択された機能に対応付けられている詳細画面を表示させているか否かを判定する（ステップＳ１７）。
【０１０１】
この場合、制御部８０は、表示装置９２にホーム画面５０を表示させているので、詳細画面を表示させていないと判定し（ステップＳ１７にてＮＯ）、記憶部８４から、選択されている機能に対応付けられている詳細画面を読出す（ステップＳ１８）。この場合、制御部８０は、記憶部８４から、コピー機能に対応付けられている詳細画面６０を読出す。
【０１０２】
詳細画面６０の読出し後、制御部８０は、表示装置９２に対し、読出された詳細画面６０を第２表示面に表示させる（ステップＳ１９）。この場合、制御部８０は、表示装置９２に対し、第１画面６０Ａを表示領域９２Ａに表示させている。ユーザーは、キー６２をタッチしたものとする。制御部８０は、タッチパネル８２を介してキー６２に対するタッチ操作を受付けると、表示装置９２に対し、第２画面６０Ｂを、表示領域９２Ｂに表示させる。
【０１０３】
詳細画面６０の表示後、制御部８０は、ステップＳ１６の処理に進む。この場合、表示部８１は開いたままであるので、制御部８０は、表示部８１が閉状態ではないと判定し（ステップＳ１６にてＮＯ）、ステップＳ１２の処理に進む。
【０１０４】
制御部８０は、表示部８１が閉じられるまで、又は、解除指示を受付けるまで、選択指示を受付けていると判定する処理（ステップＳ１２にてＹＥＳ）、詳細画面を表示させていると判定する処理（ステップＳ１７にてＹＥＳ）、並びに、ステップＳ１８及びステップＳ１９の処理を実行することなく、表示部８１が閉状態ではないと判定する処理（ステップＳ１６にてＮＯ）を繰返す。
【０１０５】
（２）表示部８１が閉状態である場合
ユーザーは、詳細画面６０を確認して、表示部８１を閉じたものとする。制御部８０は、開閉検出部８３から出力されてくる信号に基づいて、表示部８１が閉状態であると判定し（ステップＳ１６にてＹＥＳ）、図４Ｂに示すように、選択指示を受付けているか否かを判定する（ステップＳ２０）。
【０１０６】
（２−１）選択指示を受付けている場合
この場合、コピー機能が選択されたままであるので、制御部８０は、選択指示を受付けていると判定し（ステップＳ２０にてＹＥＳ）、表示装置９２に、選択された機能に対応付けられている簡易画面を表示させているか否かを判定する（ステップＳ２１）。
【０１０７】
この場合、制御部８０は、表示装置９２に詳細画面６０を表示させているので、簡易画面を表示させていないと判定し（ステップＳ２１にてＮＯ）、記憶部８４から、選択されている機能に対応付けられている簡易画面を読出す（ステップＳ２２）。この場合、制御部８０は、記憶部８４から、コピー機能に対応付けられている簡易画面７０を読出す。
【０１０８】
簡易画面７０の読出し後、制御部８０は、表示装置９２に対し、詳細画面６０の表示を終了させて、読出された簡易画面７０を第１表示面に表示させる（ステップＳ２３）。具体的には、制御部８０は、開閉検出部８３から出力されてくる信号に基づいて、表示領域９２Ａ及び表示領域９２Ｂのうち、端末装置３の鉛直方向上方に露出している表示領域９２Ａ又は表示領域９２Ｂを特定し、特定された表示領域９２Ａ又は表示領域９２Ｂを第１表示面に設定する。制御部８０は、第１表示面として設定された表示領域９２Ａ又は表示領域９２Ｂに、簡易画面７０を表示させる。
【０１０９】
簡易画面７０の表示後、制御部８０は、開閉検出部８３から出力されてくる信号に基づいて、表示部８１が開状態であるか否かを判定する（ステップＳ２４）。この場合、表示部８１は閉じたままであるので、制御部８０は、表示部８１が開状態ではないと判定し（ステップＳ２４にてＮＯ）、ステップＳ２０の処理に進む。
【０１１０】
制御部８０は、解除指示を受付けるまで、又は、表示部８１が開かれるまで、選択指示を受付けていると判定する処理（ステップＳ２０にてＹＥＳ）、簡易画面７０を表示させていると判定する処理（ステップＳ２１にてＹＥＳ）、並びに、ステップＳ２２及びステップＳ２３の処理を実行することなく、表示部８１が開状態ではないと判定する処理（ステップＳ２４にてＮＯ）を繰返す。
【０１１１】
ユーザーは、簡易画面７０の表示にしたがってコピー機能に関する各種設定を行なった後、キー７４をタッチしたものとする。タッチパネル８２を介してキー７４に対するタッチ操作を受付けると、制御部１０は、入力されている設定内容を受付ける。制御部１０は、通信部８５を介して、受付けた設定内容を画像形成装置１に送信する。画像形成装置１は、通信部２２を介して、端末装置３から送信されてくる設定内容を受信すると、受信した設定内容を、確定されている設定内容として受付ける。
【０１１２】
キー７４をタッチした後、ユーザーは、コピーを開始するために、画像読取部１１のプラテンガラスに原稿を載置して、スタートキー１６Ｂを押下したものとする。制御部８０は、スタートキー１６Ｂの押下を検知すると、画像読取部１１に対し、確定されている設定内容にしたがって、プラテンガラスに載置されている原稿を読み取らせて画像データを生成させる。画像データの生成後、制御部８０は、画像形成部１２等に対し、生成された画像データに基づく画像を、確定されている設定内容にしたがって、記録紙に形成させる。
【０１１３】
（２−２）選択指示を受付けていない場合
コピー終了後、ユーザーは、簡易画面７０のキー７３をタッチしたものとする。タッチパネル８２を介してキー７３に対するタッチ操作を受付けると、制御部８０は、選択指示を受付けていないと判定し（ステップＳ２０にてＮＯ）、切替部８６Ａの切替状況に基づいて、表示部８１が通電状態であるか否かを判定する（ステップＳ２５）。
【０１１４】
この場合、制御部８０は、表示部８１が通電状態であると判定し（ステップＳ２５にてＹＥＳ）、切替部８６Ａに、表示部８１の状態を通電状態から非通電状態に切替えさせる（ステップＳ２６）。これによって、表示部８１は、スリープモードに移行し、第１表示面及び第２表示面は、画面が表示されていない状態となる。
【０１１５】
非通電状態への切替え後、制御部８０は、ステップＳ２４の処理に進む。この場合、表示部８１は閉じたままであるので、制御部８０は、開閉検出部８３から出力されてくる信号に基づいて、表示部８１が開状態ではないと判定し（ステップＳ２４にてＮＯ）、ステップＳ２０の処理に進む。
【０１１６】
制御部８０は、選択指示を受付けるまで、又は、表示部８１が開かれるまで、選択指示を受付けていないと判定する処理（ステップＳ２０にてＮＯ）、表示部８１は通電状態ではないと判定する処理（ステップＳ２５にてＮＯ）、及び、ステップＳ２６の処理を実行することなく、表示部８１が開状態ではないと判定する処理（ステップＳ２４にてＮＯ）を繰返す。
【０１１７】
この状態において、ユーザーによって表示部８１が開かれた場合、制御部１０は、開閉検出部８３から出力されてくる信号に基づいて、表示部８１が開状態であると判定し（ステップＳ２４にてＹＥＳ）、表示部８１が非通電状態であるか否かを判定する（ステップＳ２５）。この場合、制御部８０は、表示部１５が非通電状態であると判定し（ステップＳ２５にてＹＥＳ）、ステップＳ１１の処理に進む。なお、制御部８０は、表示部８０が非通電状態ではないと判定した場合（ステップＳ２５にてＮＯ）、ステップＳ１２の処理に進む。
【０１１８】
第２の実施形態によれば、制御部８０は、通信部８５を介して、受付けた設定内容を画像形成装置１に対して送信する。これによって、ユーザーは、携帯している端末装置３を用いて、画像形成装置１において実行可能な複数の機能のうちの選択されている機能についての設定を行なうことができるので、ユーザーの利便性がより一層向上する。
【０１１９】
（その他の変形例）
第１の実施形態では、開閉検出部３４として、磁石３４ＢとホールＩＣ３４Ａとが用いられたが、本発明はそのような実施形態に限定されない。例えば、開閉検出部３４として、機械式のスイッチ機構が用いられてもよい。
【０１２０】
第２の実施形態では、端末装置３は、折り畳み可能な表示部１５を備えている画像形成装置１と通信を行なったが、本発明はそのような実施形態に限定されない。例えば、端末装置３は、折り畳み可能に構成されていない表示部を備えている画像形成装置、すなわち、本発明の表示画面変更処理を実行可能に構成されていない画像形成装置と通信を行なう構成であってもよい。
【０１２１】
また第１及び第２の実施形態では、画像形成部１２等は、記録紙に画像を形成したが、本発明はそのような実施形態に限定されない。画像形成部１２等は、記録紙に限らず、他の記録媒体に画像を形成してもよい。他の記録媒体としては、例えば、ＯＨＰ（Overhead Projector）シートを例示できる。
【０１２２】
なお、本発明は第１及び第２の実施形態の構成に限られず種々の変形が可能である。例えば、第１の実施形態では、本発明に係る電子機器を備えている画像形成装置の一実施形態としてカラー複合機を用いているが、これは一例に過ぎず、モノクロ複合機、コピー機、又はファクシミリ装置等を用いてもよい。また第２の実施形態では、本発明に係る電子機器としてタブレット型の端末装置を用いているが、これは一例に過ぎず、例えば、スマートフォンを用いてもよい。
【０１２３】
図１乃至図９を用いて第１及び第２の実施形態により示した構成及び処理は、本発明の一実施形態に過ぎず、本発明を当該構成及び処理に限定する趣旨ではない。
【図１】
2020262179.tif 000003
【図２】
2020262179.tif 000004
【図３Ａ】
2020262179.tif 000005
【図３Ｂ】
2020262179.tif 000006
【図４Ａ】
2020262179.tif 000007
【図４Ｂ】
2020262179.tif 000008
【図５】
2020262179.tif 000009
【図６】
2020262179.tif 000010
【図７】
2020262179.tif 000011
【図８】
2020262179.tif 000012
【図９Ａ】
2020262179.tif 000013
【図９Ｂ】
2020262179.tif 000014
【手続補正書】
【提出日】令和3年6月17日(2021.6.17)
【手続補正１】
【補正対象書類名】特許請求の範囲
【補正対象項目名】全文
【補正方法】変更
【補正の内容】
【特許請求の範囲】
【請求項１】
折り畳み可能に構成されていない第１表示面と、折り畳み可能に構成されている第２表示面とを含む表示部と、
前記第２表示面の折り畳まれている状態又は開かれている状態を検出する開閉検出部と、
ユーザーの指示が入力される入力部と、
制御部と、を備え、
前記制御部は、
前記開閉検出部によって前記開かれている状態が検出され、かつ、前記入力部を介して、実行可能な複数の機能のうちのいずれかを選択するための選択指示を受付けていない場合、前記表示部に、前記選択指示を入力するための選択画面を、開かれている状態で露出している前記第２表示面に表示させ、
前記開閉検出部によって前記折り畳まれている状態が検出され、かつ、前記入力部を介して、前記選択画面を通じた前記選択指示を受付けている場合に、前記表示部に、選択されている前記機能についての設定を簡易的に行なうための簡易画面を、前記第２表示面が折り畳まれている状態で露出している前記第１表示面に表示させ、
前記開閉検出部によって前記開かれている状態が検出され、かつ、前記入力部を介して、前記選択画面を通じた前記選択指示を受付けている場合に、前記表示部に、前記簡易画面を表示させることなく、選択されている前記機能についての設定を詳細に行なうための詳細画面を、前記開かれている状態で露出している前記第２表示面に表示させ、
前記入力部を介して、選択されている前記機能についての設定内容を受付ける、電子機器。
【請求項２】
電源からの電力が前記表示部に供給されている通電状態と、前記電力が前記表示部に供給されていない非通電状態とを切替える切替部をさらに備え、
前記制御部は、前記開閉検出部によって前記折り畳まれている状態が検出されており、かつ、前記入力部を介して前記選択指示を受付けていない場合、前記切替部に、前記表示部の状態を前記通電状態から前記非通電状態に切替えさせる、請求項１に記載の電子機器。
【請求項３】
前記制御部は、前記表示部の状態が前記非通電状態である場合に、前記開閉検出部によって前記開かれている状態が検出されると、前記切替部に、前記表示部の状態を前記非通電状態から前記通電状態に切替えさせる、請求項２に記載の電子機器。
【請求項４】
電源からの電力が前記表示部に供給されている通電状態と、前記電力が前記表示部に供給されていない非通電状態とを切替える切替部をさらに備え、
前記制御部は、
前記表示部に前記選択画面を表示させている場合に、前記開閉検出部によって前記折り畳まれている状態が検出されると、前記切替部に、前記表示部の状態を前記通電状態から前記非通電状態に切替えさせ、
前記表示部に前記選択画面とは異なる他の画面を表示させている場合に、前記開閉検出部によって前記折り畳まれている状態が検出されると、前記切替部に、前記通電状態から前記非通電状態への切替えを実行させない、請求項１に記載の電子機器。
【請求項５】
画像を記録媒体に形成する画像形成部を備えている画像形成装置と、ネットワークを介して通信を行なう通信部とをさらに備え、
前記制御部は、前記通信部を介して、受付けた前記設定内容を前記画像形成装置に対して送信する、請求項１に記載の電子機器。
【請求項６】
請求項１に記載の電子機器と、
画像を記録媒体に形成する画像形成部と、を備え、
前記制御部は、受付けた前記設定内容にしたがって、前記画像形成部に、画像を形成させる、画像形成装置。
【手続補正２】
【補正対象書類名】明細書
【補正対象項目名】全文
【補正方法】変更
【補正の内容】
【発明の詳細な説明】
【技術分野】
【０００１】
本発明は、電子機器及び画像形成装置に関し、特に、設定画面を切り替えるための技術に関する。
【背景技術】
【０００２】
折り畳み可能に構成されているディスプレイを利用する技術が知られている。例えば、特許文献１には、折り畳まれている状態又は開かれている状態に応じて、通話モードを切り替える技術が開示されている。特許文献２には、折り曲げ姿勢に応じて表示領域を選択し、選択された表示領域に対して表示制御を行なう技術が開示されている。
【先行技術文献】
【特許文献】
【０００３】
【特許文献１】特表２０１４−５１１５２４号公報
【特許文献２】特開２０１８−３１８８４号公報
【発明の概要】
【０００４】
複数の機能を実行可能な装置において、操作に慣れていないユーザーは、実行を所望している機能についての設定を詳細に行なうための詳細画面がディスプレイに表示されていると、混乱してしまい、設定を適切に行なえなくなるおそれがある。一方、設定を行なうための操作に慣れているユーザーは、設定を簡易的に行なうための簡易画面がディスプレイに表示されていると、詳細な設定を行なうことができず、不便に感じるおそれがある。
【０００５】
このような場合、ユーザーは、設定画面を切替えるために、例えばタッチパネルに対するタッチ操作を行なう必要があり、手間がかかる。また、機能に応じて詳細画面と簡易画面とを使い分けたい場合には、その都度、ユーザーは、設定画面を切替えるためのタッチ操作を行なわなければならず、不便である。
【０００６】
特許文献１及び特許文献２に開示されている技術は、単に、折り畳み可能に構成されているディスプレイを利用するための技術であり、簡易画面と設定画面とを切替える技術ではないため、上記した問題を解決することはできない。
【０００７】
本発明は、上記の事情に鑑みなされたものであり、設定画面の切替えに要するユーザーの手間を省くとともに、ユーザーに適している設定画面を表示できるようにすることを目的とする。
【０００８】
本発明の一局面に係る電子機器は、折り畳み可能に構成されていない第１表示面と、折り畳み可能に構成されている第２表示面とを含む表示部と、第２表示面の折り畳まれている状態又は開かれている状態を検出する開閉検出部と、ユーザーの指示が入力される入力部と、制御部と、を備える。制御部は、開閉検出部によって開かれている状態が検出され、かつ、入力部を介して、実行可能な複数の機能のうちのいずれかを選択するための選択指示を受付けていない場合、表示部に、選択指示を入力するための選択画面を、開かれている状態で露出している第２表示面に表示させ、開閉検出部によって折り畳まれている状態が検出され、かつ、入力部を介して、選択画面を通じた選択指示を受付けている場合に、表示部に、選択されている機能についての設定を簡易的に行なうための簡易画面を、第２表示面が折り畳まれている状態で露出している第１表示面に表示させ、開閉検出部によって開かれている状態が検出され、かつ、入力部を介して、選択画面を通じた選択指示を受付けている場合に、表示部に、簡易画面を表示させることなく、選択されている機能についての設定を詳細に行なうための詳細画面を、開かれている状態で露出している第２表示面に表示させ、入力部を介して、選択されている機能についての設定内容を受付ける。
【０００９】
本発明の他の一局面に係る画像形成装置は、上記した電子機器と、画像を記録媒体に形成する画像形成部と、を備える。制御部は、受付けた設定内容にしたがって、画像形成部に、画像を形成させる。
【００１０】
本発明によれば、ユーザーは、表示部を折り畳んだり、開いたりするという簡単な操作によって、簡易画面と詳細画面との表示の切替えを行なうことができる。したがって、表示画面の切替えに要するユーザーの手間を省くことができる。また、設定を行なうための操作に慣れていないユーザーは、詳細画面からの設定を行なわずにすむので、混乱することなく設定を行なうことができる。一方、設定を行なうための操作に慣れているユーザーは、簡易画面からの設定を行なうことなく、詳細な設定を行なうことができる。したがって、ユーザーの利便性が向上する。
【図面の簡単な説明】
【００１１】
【図１】画像形成装置の外観を示す斜視図である。
【図２】画像形成装置の内部構成を示すブロック図である。
【図３Ａ】表示部が開かれているときの状態を示す図である。
【図３Ｂ】表示部が折り畳まれているときの状態を示す図である。
【図４Ａ】表示画面変更処理を示すフローチャートである。
【図４Ｂ】表示画面変更処理を示すフローチャートである。
【図５】ホーム画面の一例を示す図である。
【図６】詳細画面の一例を示す図である。
【図７】簡易画面の一例を示す図である。
【図８】端末装置の内部構成を示すブロック図である。
【図９Ａ】表示部が開かれているときの状態を示す図である。
【図９Ｂ】表示部が折り畳まれているときの状態を示す図である。
【発明を実施するための形態】
【００１２】
以下、本発明の第１の実施形態に係る電子機器を備えている画像形成装置について図面を参照して説明する。図１は、画像形成装置の外観を示す斜視図である。図２は、画像形成装置の内部構成を示すブロック図である。図１及び図２を参照して、画像形成装置１は、ファクシミリ機能、コピー機能、プリンター機能、及びスキャナー機能等の複数の機能を備えているカラー複合機である。
【００１３】
画像形成装置１は、制御ユニット１００を含んでいる。制御ユニット１００は、プロセッサー、ＲＡＭ(Random Access Memory）、及びＲＯＭ（Read Only Memory）等を含んでいる。プロセッサーは、例えば、ＣＰＵ（Central Processing Unit）、ＭＰＵ（Micro Processing Unit）、又はＡＳＩＣ（Application Specific Integrated Circuit）等である。
【００１４】
制御ユニット１００は、ＲＯＭ又はＨＤＤ（Hard Disk Drive）１７に記憶されている制御プログラムが上記プロセッサーによって実行されることにより、制御部１０として機能する。制御部１０は、画像形成装置１の全体制御を司る。例えば、制御部１０は、表示部１５の折り畳まれている状態又は開かれている状態に応じて、表示部１５に表示されている画面を変更する処理を行なう。なお、制御部１０は、上記制御プログラムに基づく動作によらず、ハード回路によって構成されていてもよい。
【００１５】
制御ユニット１００は、画像読取部１１、画像形成部１２、定着部１３、給紙部１４、表示部１５、操作部１６、ＨＤＤ１７、搬送機構１８、画像処理部１９、画像メモリー２０、ファクシミリ通信部２１、通信部２２、及び電力供給部２４等と電気的に接続されている。制御ユニット１００、表示部１５、操作部１６、ＨＤＤ１７、及び電力供給部２４は、本発明の一実施形態に係る電子機器２として機能する。
【００１６】
画像読取部１１は、原稿台に載置されている原稿を搬送する原稿搬送部と、原稿搬送部によって搬送されてくる原稿又はプラテンガラスに載置されている原稿を光学的に読み取るスキャナーと、を含んでいるＡＤＦ（Auto Document Feeder）である。画像読取部１１は、光照射部により原稿を照射し、その反射光をＣＣＤ（Charge-Coupled Device）センサーで受光することによって、原稿を読み取って画像データを生成する。
【００１７】
画像形成部１２は、感光体ドラム、帯電装置、露光装置、現像装置、及び転写装置を含んでいる。画像形成部１２は、画像読取部１１によって生成された画像データ等に基づいて、給紙部１４から搬送されてくる記録紙に、トナー像によって構成されている画像を形成する。
【００１８】
定着部１３は、画像形成部１２によってトナー像が形成された記録紙を加熱及び加圧することによってトナー像を記録紙に定着させる。定着部１３によってトナー像が定着された記録紙は、排出トレイ８に排出される。
【００１９】
給紙部１４は、手差しトレイと、給紙カセットとを備えている。給紙部１４は、給紙カセットに収容されている記録紙、又は手差しトレイに載置されている記録紙を一枚ずつ引出して、画像形成部１２に向けて給紙する。
【００２０】
図３Ａは、表示部１５が開かれているときの状態を示す図である。図３Ｂは、表示部１５が折り畳まれているときの状態を示す図である。図３Ａを参照して、表示部１５は、略直方体形状の第１筐体３１と、略直方体形状の第２筺体３２とを含んでいる。第１筺体３１の一面には、第１表示装置３１Ａが設けられている。第２筺体３２の一面（以下「第１面」と記す。）には、第２表示装置３２Ａが設けられている。図３Ｂを参照して、第２筺体３２における第１面に対して反対側の面（以下「第２面」と記す。）には、第３表示装置３２Ｂが設けられている。
【００２１】
第１筺体３１及び第２筺体３２は、第１筐体３１及び第２筺体３２の長手方向に沿って延びている回転軸３３を介して、第１表示装置３１Ａの表示面と、第２表示装置３２Ａの表示面とが向かい合うように折り畳み可能に連結されている。以下、第１筺体３１と第２筺体３２とが成す角度が９０度を超えている場合を、表示部１５が開かれている状態（以下、「開状態」と記す。）とする。第１筺体３１と第２筺体３２とが成す角度が９０度以下である場合を、表示部１５が折り畳まれている状態（以下、「閉状態」と記す。）とする。
【００２２】
第１表示装置３１Ａ、第２表示装置３２Ａ、及び第３表示装置３２Ｂは、例えば、液晶ディスプレイによって構成されている。図３Ｂに示すように、表示部１５が閉状態である場合、第３表示装置３２Ｂの表示面が、表示部１５の鉛直方向上方、すなわち、ユーザー側に露出している状態となる。図３Ａに示すように、表示部１５が開状態である場合、第１表示装置３１Ａの表示面及び第２表示装置３２Ａの表示面が、表示部１５の鉛直方向上方、すなわち、ユーザー側に露出している状態となる。
【００２３】
制御部１０は、第３表示装置３２Ｂの表示面を、「第１表示面」として予め設定している。制御部１０はまた、第１表示装置３１Ａの表示面及び第２表示装置３２Ａの表示面を、「第２表示面」として予め設定している。制御部１０は、表示部１５に対し、画像形成装置１によって実行可能な各機能等に関する各種の画面を、第１表示面又は第２表示面に表示させる。
【００２４】
表示部１５は、表示部１５の閉状態又は開状態を検出するための開閉検出部３４を含んでいる。開閉検出部３４は、第１筺体３１に設けられているホールＩＣ(Integrated Circuit)３４Ａと、第２筺体３２に設けられている磁石３４Ｂによって構成されている。ホールＩＣ３４Ａは、磁石３４Ｂから発生している磁束密度の大きさを検出するホール素子を含んでいる。
【００２５】
ホールＩＣ３４Ａは、ホール素子によって検出されている磁束密度の大きさを示す値が予め定められている値以下である場合、表示部１５が開状態であることを示す第１信号を出力する。ホールＩＣ３４Ａは、検出された磁束密度の大きさを示す値が予め定められている値を超えている場合、表示部１５が閉状態であることを示す第２信号を出力する。
【００２６】
操作部１６は、第１表示面及び第２表示面にそれぞれ重ねて配置されているタッチパネル１６Ａを含んでいる。操作部１６はまた、各種機能の実行の開始を指示するためのスタートキー１６Ｂ等の複数のハードキーを含んでいる。ユーザーは、操作部１６を介して、画像形成装置１によって実行可能な各種機能を実行するための指示等の各種の情報を入力する。操作部１６は、特許請求の範囲における入力部の一例である。
【００２７】
ＨＤＤ１７は、画像読取部１１によって生成された画像データ等の各種データを記憶するための大容量の記憶装置である。ＨＤＤ１７は、画像形成装置１の一般的な動作を実現するための各種制御プログラムを記憶している。ＨＤＤ１７は、各種制御プログラムの１つとして、本発明の一実施形態に係る表示画面変更処理を実行するための変更プログラムを記憶している。ＨＤＤ１７は、ホーム画面を表示するための画像データ（以下、単に「ホーム画面」と記す。）を記憶している。ホーム画面は、画像形成装置１によって実行可能な複数の機能のうちのいずれかを選択するための選択画面である。
【００２８】
ＨＤＤ１７は、詳細画面を表示するための画像データ（以下、単に「詳細画面」と記す。）を、画像形成装置１において実行可能な複数の機能のそれぞれに対応付けて記憶している。詳細画面は、対応付けられている機能についての設定を詳細に行なうための画面である。ＨＤＤ１７は、簡易画面を表示するための画像データ（以下、単に「簡易画面」と記す。）を、画像形成装置１において実行可能な複数の機能のそれぞれに対応付けて記憶している。簡易画面は、対応付けられている機能についての設定を簡易的に行なうための画面である。
【００２９】
搬送機構１８は、搬送ローラー対及び排出ローラー対等から構成されている。搬送機構１８は、排出先として設定されている排出トレイ８に向けて、記録紙を搬送路に沿って搬送する。
【００３０】
画像処理部１９は、画像読取部１１によって生成された画像データに対して、必要に応じて画像処理を実行する。
【００３１】
画像メモリー２０は、画像読取部１１によって生成された出力対象の画像データを一時的に記憶する領域を含む。
【００３２】
ファクシミリ通信部２１は、公衆回線への接続を行ない、公衆回線を介して画像データの送受信を行なう。
【００３３】
通信部２２は、ＬＡＮ(Local Area Network)ボード等の通信モジュールを含んでいる。画像形成装置１は、通信部２２を介して、ネットワークを介して接続されているＰＣ(Personal Computer)等の外部装置２３とデータ通信を行なう。
【００３４】
電力供給部２４は、画像形成装置１の各部に対する電源からの電力の供給を制御する。電力供給部２４は、切替部２４Ａを含んでいる。切替部２４Ａは、電源からの電力が表示部１５及びタッチパネル１６Ａに供給されている通電状態と、電源からの電力が表示部１５及びタッチパネル１６Ａに供給されていない非通電状態とを切替えるスイッチである。
【００３５】
［動作］
図４Ａ及び図４Ｂは、表示画面変更処理を示すフローチャートである。以下、図４Ａ及び図４Ｂ等を参照して、表示画面変更処理の実行時における画像形成装置１の動作について説明する。以下、画像形成装置１の電源が投入されていないときは、表示部１５は閉状態であるものとする。
【００３６】
ユーザーは、表示部１５が閉じられている状態で、画像形成装置１の電源を投入したものとする。画像形成装置１の電源が投入されると、制御部１０は、電力供給部２４に、表示部１５を除く画像形成装置１の各部に対する電力の供給を開始させる。このとき、制御部１０は、切替部２４Ａに、表示部１５に対して電力供給を開始させることなく、表示部１５の状態を非通電状態に維持させているものとする。なお、表示部１５が非通電状態にある場合であっても、電力供給部２４は、開閉検出部３４に対しては電力を供給しているものとする。
【００３７】
制御部１０はまた、画像形成装置１の電源が投入されると、表示画面変更処理の実行を開始する。図４Ａを参照して、表示画面変更処理において、制御部１０は、開閉検出部３４から出力されてくる信号に基づいて、表示部１５が開状態であるか否かを判定する（ステップＳ１０）。このとき、制御部１０は、表示部１５が開状態ではないと判定する処理（ステップＳ１０にてＮＯ）を繰返す。
【００３８】
（１）表示部１５が開状態である場合
画像形成装置１の電源投入後、ユーザーは、表示部１５を開いたものとする。制御部１０は、開閉検出部３４から出力されてくる第１信号に基づいて、表示部１５が開状態であると判定し（ステップＳ１０にてＹＥＳ）、切替部２４Ａに、表示部１５に対する電力供給を開始させることによって、表示部１５の状態を非通電状態から通電状態に切替えさせる（ステップＳ１１）。通電状態への切替え後、制御部１０は、画像形成装置１によって実行可能な複数の機能のうちのいずれかを選択するための選択指示を受付けているか否かを判定する（ステップＳ１２）。
【００３９】
（１−１）選択指示を受付けていない場合
この場合、画像形成装置１の電源が投入された直後であり、ユーザーによる機能の選択が行なわれていないので、制御部１０は、選択指示を受付けていないと判定し（ステップＳ１２にてＮＯ）、第１表示装置３１Ａ及び第２表示装置３２Ａに、ホーム画面を表示させているか否かを判定する（ステップＳ１３）。この場合、制御部１０は、第１表示装置３１Ａ及び第２表示装置３２Ａに何も表示させていないので、ホーム画面を表示させていないと判定し（ステップＳ１３にてＮＯ）、ＨＤＤ１７から、ホーム画面を読出す（ステップＳ１４）。
【００４０】
ホーム画面の読出し後、制御部１０は、第１表示装置３１Ａ及び第２表示装置３２Ａに対し、読出されたホーム画面を第２表示面に表示させる（ステップＳ１５）。図５は、ホーム画面の一例を示す図である。図５を参照して、制御部１０は、第１表示装置３１Ａ及び第２表示装置３２Ａに対し、ソフトキーとして、コピー機能を選択するための選択指示を入力するためのキー５２、及び、送信機能を選択するための選択指示を入力するためのキー５４等を含むホーム画面５０を表示させているものとする。
【００４１】
制御部１０は、第１表示装置３１Ａに対し、ホーム画面５０における回転軸３３に直交する方向Ｘの一端側に位置している部分５０Ａを第１表示装置３１Ａの表示面に表示させ、第２表示装置３２Ａに対し、ホーム画面５０における方向Ｘの他端側に位置している部分５０Ｂを第２表示装置３２Ａの表示面に表示させている。
【００４２】
ホーム画面５０の表示後、制御部１０は、開閉検出部３４から出力されてくる信号に基づいて、表示部１５が閉状態であるか否かを判定する（ステップＳ１６）。この場合、表示部１５は開いたままであるので、制御部１０は、開閉検出部３４から出力されてくる第１信号に基づいて、表示部１５が閉状態ではないと判定し（ステップＳ１６にてＮＯ）、ステップＳ１２の処理に進む。
【００４３】
制御部１０は、選択指示を受付けるまで、又は、表示部１５が閉じられるまで、選択指示を受付けていないと判定する処理（ステップＳ１２にてＮＯ）、ホーム画面を表示させていると判定する処理（ステップＳ１３にてＹＥＳ）、並びに、ステップＳ１４の処理及びステップＳ１５の処理を実行することなく、表示部１５が閉状態ではないと判定する処理（ステップＳ１６にてＮＯ）を繰返す。
【００４４】
（１−２）選択指示を受付けている場合
ユーザーは、ホーム画面５０を確認し、キー５２をタッチしたものとする。タッチパネル１５Ａを介してキー５２に対するタッチ操作を受付けると、制御部１０は、コピー機能を選択するための選択指示を受付けていると判定し（ステップＳ１２にてＹＥＳ）、第１表示装置３１Ａ及び第２表示装置３２Ａに、選択された機能に対応付けられている詳細画面を表示させているか否かを判定する（ステップＳ１７）。
【００４５】
この場合、制御部１０は、第１表示装置３１Ａ及び第２表示装置３２Ａに、ホーム画面５０を表示させているので、詳細画面を表示させていないと判定し（ステップＳ１７にてＮＯ）、ＨＤＤ１７から、選択されている機能に対応付けられている詳細画面を読出す（ステップＳ１８）。この場合、制御部１０は、ＨＤＤ１７から、コピー機能に対応付けられている詳細画面を読出す。
【００４６】
詳細画面の読出し後、制御部１０は、第１表示装置３１Ａ及び第２表示装置３２Ａに対し、読出された詳細画面を第２表示面に表示させる（ステップＳ１９）。図６は、詳細画面の一例を示す図である。図６を参照して、詳細画面６０は、方向Ｘの一端側に位置している第１画面６０Ａと、方向Ｘの他端側に位置している第２画面６０Ｂと、を含んでいる。第１画面６０Ａは、設定対象の設定項目を選択するための画面である。第２画面６０Ｂは、選択されている設定項目についての詳細な設定を行なうための画面である。
【００４７】
この場合、制御部１０は、第１表示装置３１Ａに対し、ソフトキーとして、「用紙選択」という設定項目を選択するための指示を入力するためのキー６１、及び、「両面印刷」という設定項目を選択するための指示を入力するためのキー６２等を含む第１画面６０Ａを、第１表示装置３１Ａの表示面に表示させているものとする。ユーザーは、キー６２をタッチしたものとする。制御部１０は、タッチパネル１６Ａを介してキー６２に対するタッチ操作を受付けると、第２表示装置３２Ａに対し、選択されている「両面印刷」という設定項目についての詳細な設定を行なうための第２画面６０Ｂを、第２表示装置３２Ａの表示面に表示させる。
【００４８】
この場合、制御部１０は、第２表示装置３２Ａに対し、ソフトキーとして、片面原稿を記録紙の片面にコピーすることを示す「片面から片面」という設定値を選択するための指示を入力するためのキー６３Ａ、片面原稿を記録紙の両面にコピーすることを示す「片面から両面」という設定値を選択するための指示を入力するためのキー６３Ｂ、及び、両面原稿を記録紙の両面にコピーすることを示す「両面から両面」という設定値を選択するための指示を入力するためのキー６３Ｃ等、選択されている設定値に応じた原稿の綴じ方向を選択するための指示を入力するためのキー６４及びキー６５、選択されている設定値に応じた原稿の載置方向を選択するための指示を入力するためのキー６６、コピー機能の選択を解除するための解除指示を入力するためのキー６７、並びに、設定内容を確定するための確定指示を入力するためのキー６８を含む第２画面６０Ｂを、表示させているものとする。例えば、ユーザーが、キー６３Ａをタッチした上でキー６８をタッチすると、制御部１０は、タッチパネル１６Ａを介してキー６３Ａ及びキー６８に対するタッチ操作を受付け、表示部１５に対し、キー６２の表示内容を「片面から両面」という文字列から「片面面から片面」という文字列に変更させる。
【００４９】
詳細画面６０の表示後、制御部１０は、ステップＳ１６の処理に進む。この場合、表示部１５は開いたままであるので、制御部１０は、開閉検出部３４から出力されてくる第１信号に基づいて、表示部１５が閉状態ではないと判定し（ステップＳ１６にてＮＯ）、ステップＳ１２の処理に進む。
【００５０】
制御部１０は、表示部１５が閉じられるまで、又は、解除指示を受付けるまで、選択指示を受付けていると判定する処理（ステップＳ１２にてＹＥＳ）、詳細画面６０を表示させていると判定する処理（ステップＳ１７にてＹＥＳ）、並びに、ステップＳ１８及びステップＳ１９の処理を実行することなく、表示部１５が閉状態ではないと判定する処理（ステップＳ１６にてＮＯ）を繰返す。
【００５１】
（２）表示部１５が閉状態である場合
ユーザーは、詳細画面６０を確認して、表示部１５を閉じたものとする。制御部１０は、開閉検出部３４から出力されてくる第２信号に基づいて、表示部１５が閉状態であると判定し（ステップＳ１６にてＹＥＳ）、図４Ｂに示すように、選択指示を受付けているか否かを判定する（ステップＳ２０）。
【００５２】
（２−１）選択指示を受付けている場合
この場合、コピー機能が選択されたままであるので、制御部１０は、選択指示を受付けていると判定し（ステップＳ２０にてＹＥＳ）、第３表示装置３２Ｂに、選択された機能に対応付けられている簡易画面を表示させているか否かを判定する（ステップＳ２１）。
【００５３】
この場合、制御部１０は、第１表示装置３１Ａ及び第２表示装置３２Ａに、詳細画面６０を表示させているので、簡易画面を表示させていないと判定し（ステップＳ２１にてＮＯ）、ＨＤＤ１７から、選択されている機能に対応付けられている簡易画面を読出す（ステップＳ２２）。この場合、制御部１０は、ＨＤＤ１７から、コピー機能に対応付けられている簡易画面を読出す。
【００５４】
簡易画面の読出し後、制御部１０は、第３表示装置３２Ｂに対し、読出された簡易画面を第１表示面に表示させる（ステップＳ２３）。このとき、制御部１０は、第１表示装置３１Ａ及び第２表示装置３２Ａに対し、詳細画面６０の表示を終了させる。図７は、簡易画面の一例を示す図である。図７を参照して、この場合、制御部１０は、第３表示装置３２Ｂに対し、ソフトキーとして、「用紙選択」という設定項目についての設定値を変更するための指示を入力するためのキー７１、及び、「両面印刷」という設定項目についての設定値を変更するための指示を入力するためのキー７２等、コピー機能の選択を解除するための解除指示を入力するためのキー７３、並びに、設定内容を確定するための確定指示を入力するためのキー７４を含む簡易画面７０を、表示させているものとする。
【００５５】
例えば、ユーザーによってキー７２がタッチされると、制御部１０は、タッチパネル１６Ａを介してキー７２に対するタッチ操作を受付け、ＨＤＤ１７に予め記憶されている設定値の変更順序にしたがって、選択されている「両面印刷」という設定項目についての設定値を、現在設定されている「片面から両面」という設定値から、「両面から両面」という設定値に変更する。
【００５６】
簡易画面７０の表示後、制御部１０は、開閉検出部３４から出力されてくる信号に基づいて、表示部１５が開状態であるか否かを判定する（ステップＳ２４）。この場合、表示部１５は閉じたままであるので、制御部１０は、開閉検出部３４から出力されてくる第２信号に基づいて、表示部１５が開状態ではないと判定し（ステップＳ２４にてＮＯ）、ステップＳ２０の処理に進む。
【００５７】
制御部１０は、解除指示を受付けるまで、又は、表示部１５が開かれるまで、選択指示を受付けていると判定する処理（ステップＳ２０にてＹＥＳ）、簡易画面７０を表示させていると判定する処理（ステップＳ２１にてＹＥＳ）、並びに、ステップＳ２２及びステップＳ２３の処理を実行することなく、表示部１５が開状態ではないと判定する処理（ステップＳ２４にてＮＯ）を繰返す。
【００５８】
ユーザーは、簡易画面７０の表示にしたがってコピー機能に関する各種設定を行なった後、キー７４をタッチしたものとする。タッチパネル１６Ａを介してキー７４に対するタッチ操作を受付けると、制御部１０は、入力されている設定内容を、確定されている設定内容として受付ける。キー７４をタッチした後、ユーザーは、コピーを開始するために、画像読取部１１のプラテンガラスに原稿を載置して、スタートキー１６Ｂを押下したものとする。
【００５９】
制御部１０は、スタートキー１６Ｂの押下を検知すると、画像読取部１１に対し、確定されている設定内容にしたがって、プラテンガラスに載置されている原稿を読み取らせて画像データを生成させる。画像データの生成後、制御部１０は、画像形成部１２等に対し、生成された画像データに基づく画像を、確定されている設定内容にしたがって、記録紙に形成させる。
【００６０】
（２−２）選択指示を受付けていない場合
コピー終了後、ユーザーは、簡易画面７０のキー７３をタッチしたものとする。タッチパネル１６Ａを介してキー７３に対するタッチ操作を受付けると、制御部１０は、選択指示を受付けていないと判定し（ステップＳ２０にてＮＯ）、切替部２４Ａの切替状況に基づいて、表示部１５が通電状態であるか否かを判定する（ステップＳ２５）。
【００６１】
この場合、制御部１０は、表示部１５が通電状態であると判定し（ステップＳ２５にてＹＥＳ）、切替部２４Ａに、表示部１５に対する電力供給を切断させることによって、表示部１５の状態を通電状態から非通電状態に切替えさせる（ステップＳ２６）。これによって、表示部１５は、スリープモードに移行し、第１表示面及び第２表示面は、画面が表示されていない状態となる。
【００６２】
非通電状態への切替え後、制御部１０は、ステップＳ２４の処理に進む。この場合、表示部１５は閉じたままであるので、制御部１０は、開閉検出部３４から出力されてくる第２信号に基づいて、表示部１５が開状態ではないと判定し（ステップＳ２４にてＮＯ）、ステップＳ２０の処理に進む。
【００６３】
制御部１０は、選択指示を受付けるまで、又は、表示部１５が開かれるまで、選択指示を受付けていないと判定する処理（ステップＳ２０にてＮＯ）、表示部１５は通電状態ではないと判定する処理（ステップＳ２５にてＮＯ）、及び、ステップＳ２６の処理を実行することなく、表示部１５が開状態ではないと判定する処理（ステップＳ２４にてＮＯ）を繰返す。
【００６４】
この状態において、ユーザーによって表示部１５が開かれた場合、制御部１０は、開閉検出部３４から出力されてくる第１信号に基づいて、表示部１５が開状態であると判定し（ステップＳ２４にてＹＥＳ）、表示部１５が非通電状態であるか否かを判定する（ステップＳ２５）。この場合、制御部１０は、表示部１５が非通電状態であると判定し（ステップＳ２５にてＹＥＳ）、ステップＳ１１の処理に進む。なお、制御部１０は、表示部１５が非通電状態ではないと判定した場合（ステップＳ２５にてＮＯ）、ステップＳ１２の処理に進む。
【００６５】
第１の実施形態によれば、制御部１０は、開閉検出部３４によって閉状態が検出されており、かつ、操作部１６を介して選択指示を受付けている場合に、第３表示装置３２Ｂに対し、選択されている機能に対応付けられている簡易画面７０を第１表示面に表示させる。制御部１０はまた、開閉検出部３４によって開状態が検出されている場合であって、操作部１６を介して選択指示を受付けている場合に、第１表示装置３１Ａ及び第２表示装置３２Ａに対し、選択されている機能に対応付けられている詳細画面６０を、第２表示面に表示させる。
【００６６】
これによって、ユーザーは、表示部１５を折り畳んだり、開いたりするという簡単な操作によって、簡易画面７０と詳細画面６０との表示の切替えを行なうことができる。したがって、設定画面の切替えに要するユーザーの手間を省くことができる。また、設定を行なうための操作に慣れていないユーザーは、詳細画面６０からの設定を行なわずにすむので、混乱することなく設定を行なうことができる。一方、設定を行なうための操作に慣れているユーザーは、簡易画面７０からの設定を行なうことなく、詳細な設定を行なうことができる。したがって、ユーザーの利便性が向上する。
【００６７】
また第１の実施形態によれば、制御部１０は、開閉検出部３４によって開状態が検出されており、かつ、操作部１６を介して選択指示を受付けていない場合、第１表示装置３１Ａ及び第２表示装置３２Ａに対し、ホーム画面５０を第２表示面に表示させる。これによって、ユーザーは、複数の機能のうちのいずれも選択していない場合に、表示部１５を開くという簡単な操作によって、ホーム画面５０を表示させることができる。これによって、ユーザーは、複数の機能うちのいずれかを選択するための操作を必要に応じて容易に行なうことができる。
【００６８】
また第１の実施形態によれば、制御部１０は、開閉検出部３４によって閉状態が検出されており、かつ、操作部１６を介して選択指示を受付けていない場合、切替部２４Ａに、表示部１５の状態を通電状態から非通電状態に切替えさせる。これによって、ユーザーは、表示部１５を折り畳むという簡単な操作によって、表示部１５の状態を非通電状態に切替えることができる。したがって、ユーザーは、無駄な電力の消費を容易に抑えることができる。
【００６９】
また第１の実施形態によれば、制御部１０は、表示部１５の状態が非通電状態である場合に、開閉検出部３４によって開状態が検出されると、切替部２４Ａに、表示部１５の状態を非通電状態から通電状態に切替えさせる。これによって、ユーザーは、表示部１５を開くという簡単な操作によって、表示部１５の状態を非通電状態から通電状態に切替えることができる。したがって、ユーザーの利便性がより一層向上する。
【００７０】
また第１の実施形態によれば、制御部１０は、受付けた設定内容にしたがって、画像形成部１２等に画像を形成させる。これによって、ユーザーは、画像形成装置１に備えられている電子機器２を用いて、画像形成部１２等において実行可能である、例えばコピー機能、ファクシミリ機能、又はプリンター機能等の複数の機能のうちの選択されている機能についての設定を行なうことができるので、ユーザーの利便性がより一層向上する。
【００７１】
（第１の変形例）
上記第１の実施形態では、制御部１０は、ステップＳ２５の処理において、表示部１５が通電状態であるか否かを判定したが、本発明はそのような実施形態に限定されない。例えば、制御部１０は、ステップＳ２５の処理において、第１表示装置３１Ａ及び第２表示装置３２Ａにホーム画面５０を表示させているか否かを判定する構成であってもよい。
【００７２】
この場合、制御部１０は、第１表示装置３１Ａ及び第２表示装置３２Ａに対し、ホーム画面５０を表示させている場合に（ステップＳ２５にてＹＥＳ）、ステップＳ２６の処理に進む。一方、制御部１０は、第１表示装置３１Ａ及び第２表示装置３２Ａに対し、ホーム画面５０を表示させておらず、ホーム画面５０とは異なる他の画面を表示させている場合に（ステップＳ２５にてＮＯ）、ステップＳ２４の処理に進む。
【００７３】
なお、例えば、制御部１０は、タッチパネル１６Ａを介してキー５６に対するタッチ操作を受付けると、第１表示装置３１Ａ及び第２表示装置３２Ａに対し、第２表示面に、例えば、表示部１５の開閉状態に応じた表示画面についての説明を示すヘルプ画面等の、ホーム画面５０とは異なる他の画面を表示させるものとする。
【００７４】
第１の変形例によれば、制御部１０は、第１表示装置３１Ａ及び第２表示装置３２Ａにホーム画面５０を表示させている場合に、開閉検出部３４によって閉状態が検出されると、切替部２４Ａに、表示部１５の状態を通電状態から非通電状態に切替えさせる。制御部１０はまた、第１表示装置３１Ａ及び第２表示装置３２Ａにホーム画面５０とは異なる他の画面を表示させている場合に、開閉検出部３４によって閉状態が検出されると、切替部２４Ａに、上記した通電状態から非通電状態への切替えを実行させない。
【００７５】
これによって、ユーザーは、ホーム画面５０が表示されているとき、すなわち、選択指示を受付けておらず、ユーザーによって、画像形成装置１において実行可能な複数の機能のうちのいずれも選択されていない場合に、表示部１５を折り畳むことによって、表示部１５の状態を非通電状態に切替えることができる。このように、ユーザーによって機能が選択されておらず、ユーザーが画像形成装置１の使用を所望している可能性の低い場合に、表示部１５の状態が非通電状態に切替えられるので、無駄な電力の消費を容易に抑えることができる。ユーザーはまた、例えばヘルプ画面等のホーム画面５０とは異なる画面が表示されているとき、すなわち、ユーザーによる何らかの操作が実施されている場合には、表示部１５を折り畳んだとしても、表示部１５の状態を通電状態に維持することができる。このように、ユーザーによる何らかの操作が実施されており、ユーザーが画像形成装置１の使用を所望している可能性が高い場合には、表示部１５の状態が非通電状態に切替えられてしまうことを防ぐことができる。
【００７６】
（第２の実施形態）
第１の実施形態では、電子機器２は画像形成装置１に備えられていたが、本発明はそのような実施形態に限定されない。本発明の第２の実施形態は、電子機器が画像形成装置１とは別個に設けられている点を除き、第１の実施形態と同じである。以下、本発明の第２の実施形態に係る電子機器としての端末装置について図面を参照して説明する。
【００７７】
図８は、端末装置の内部構成を示すブロック図である。図８を参照して、端末装置３は、タブレット型の表示装置である。端末装置３は、制御ユニット２００を含んでいる。制御ユニット２００は、表示部８１、タッチパネル８２、開閉検出部８３、記憶部８４、通信部８５、及び、電力供給部８６等と電気的に接続されている。
【００７８】
制御ユニット２００は、プロセッサー、ＲＡＭ、及びＲＯＭ等を含んでいる。プロセッサーは、例えば、ＣＰＵ、ＭＰＵ、又はＡＳＩＣ等である。制御ユニット２００は、ＲＯＭ又は記憶部８４に記憶されている制御プログラムが上記プロセッサーによって実行されることにより、制御部８０として機能する。
【００７９】
制御部８０は、端末装置３の全体制御を司る。例えば、制御部８０は、表示部８１の折り畳まれている状態又は開かれている状態に応じて、表示部８１に表示されている画面を変更する処理を行なう。制御部８０はまた、ネットワークを介して接続されている画像形成装置１との通信を制御する。なお、制御部８０は、上記制御プログラムに基づく動作によらず、ハード回路によって構成されていてもよい。
【００８０】
図９Ａは、表示部が開かれているときの状態を示す図である。図９Ｂは、表示部が折り畳まれているときの状態を示す図である。図９Ａを参照して、表示部８１は、略直方体形状の筐体９１を含んでいる。筐体９１の一面には、表示装置９２が設けられている。表示装置９２は、例えば、液晶ディスプレイによって構成されている。
【００８１】
タッチパネル８２は、表示装置９２に重ねて配置されている。ユーザーは、タッチパネル８２を介して、端末装置３によって実行可能な各種機能を実行するための指示等の各種の情報を入力する。タッチパネル８２は、特許請求の範囲における入力部の一例である。
【００８２】
図９Ｂを参照して、筐体９１、表示装置９２、及びタッチパネル８２は、中心線９３を中心として、表示装置９２の表示面が外側に露出している状態で折り畳み可能に構成されている。表示装置９２の表示面は、折り畳まれることによって、中心線９３と直交する方向Ｙの一端側に位置している表示領域９２Ａと、方向Ｙの他端側に位置している表示領域９２Ｂと、に分割される。
【００８３】
以下、表示領域９２Ａと表示領域９２Ｂとがなす角度が９０度を超えている場合を、表示部８１が開かれている状態（以下、「開状態」と記す。）とする。表示領域９２Ａと表示領域９２Ｂとがなす角度が９０度以下である場合を、表示部８１が折り畳まれている状態（以下、「閉状態」と記す。）とする。
【００８４】
制御部８０は、表示部８１が閉状態である場合において、端末装置３の鉛直方向上方に露出している表示領域９２Ａ又は表示領域９２Ｂを「第１表示面」に設定する。例えば、図９Ｂに示すように、表示部８１が閉じられている場合、表示領域９２Ｂが端末装置３の鉛直方向上方に露出しているので、制御部１０は、表示領域９２Ｂを「第１表示面」に設定する。
【００８５】
制御部８０はまた、表示装置９２の表示面全体、すなわち表示領域９２Ａ及び表示領域９２Ｂを「第２表示面」として予め設定している。例えば、図９Ａは、表示部８１が開状態である場合に、第２表示面が、端末装置３の鉛直方向上方に露出している状態を示す。制御部８０は、表示部８１に対し、画像形成装置１によって実行可能な各機能等に関する各種の画面を、第１表示面又は第２表示面に表示させる。
【００８６】
開閉検出部８３は、３軸加速度センサーを含んでいる。３軸加速度センサーは、３軸方向における表示部８１の動きを加速度として検出し、検出された加速度を示す信号を出力する。
【００８７】
記憶部８４は、フラッシュメモリー等の記憶装置である。記憶部８４は、端末装置３の一般的な動作を実現するための各種制御プログラムを記憶している。記憶部８４は、各種制御プログラムの１つとして、第１の実施形態と同じ表示画面変更処理を実行するための変更プログラムを記憶している。
【００８８】
記憶部８４は、ホーム画面を記憶している。記憶部８４は、詳細画面を、画像形成装置１において実行可能な複数の機能のそれぞれに対応付けて記憶している。記憶部８４は、簡易画面を、画像形成装置１において実行可能な複数の機能のそれぞれに対応付けて記憶している。
【００８９】
通信部８５は、通信モジュールを含んでいる。端末装置３は、通信部８５を介して、ネットワークを介して接続されている画像形成装置１とデータ通信を行なう。
【００９０】
電力供給部８６は、端末装置３の各部に対する電源からの電力の供給を制御する。電力供給部８６は、切替部８６Ａを含んでいる。切替部８６Ａは、電源からの電力が表示部８１及びタッチパネル８２に供給されている通電状態と、電源からの電力が表示部８１及びタッチパネル８２に供給されていない非通電状態とを切替えるスイッチである。
【００９１】
［動作］
以下、図４Ａ及び図４Ｂ等を参照して、表示画面変更処理の実行時における端末装置３の動作について説明する。以下、端末装置３の電源が投入されていないときは、表示部８１は閉状態であるものとする。
【００９２】
ユーザーは、表示部８１が閉じられている状態で、端末装置３の電源を投入したものとする。端末装置３の電源が投入されると、制御部８０は、電力供給部８６に、表示部８１を除く端末装置３の各部に対する電力の供給を開始させる。このとき、制御部８０は、切替部８６Ａに、表示部８１に対して電力供給を開始させることなく、表示部８１の状態を非通電状態に維持させているものとする。なお、表示部８１が非通電状態にある場合であっても、電力供給部８６は、開閉検出部８３に対しては電力を供給しているものとする。
【００９３】
制御部８０はまた、端末装置３の電源が投入されると、表示画面変更処理の実行を開始する。図４Ａを参照して、表示画面変更処理において、制御部８０は、開閉検出部８３から出力されてくる信号に基づいて、表示部８１が開状態であるか否かを判定する（ステップＳ１０）。
【００９４】
具体的には、制御部８０は、開閉検出部８３から出力されてくる信号に基づいて表示領域９２Ａと表示領域９２Ｂとがなす角度を算出し、算出された角度が９０度を超えている場合に、表示部８１が開状態であると判定する。制御部８０は、算出された角度が９０度以下である場合に、表示部８１が閉状態であると判定する。このとき、制御部１０は、表示部１５が開状態ではないと判定する処理（ステップＳ１０にてＮＯ）を繰返す。
【００９５】
（１）表示部８１が開状態である場合
端末装置３の電源投入後、ユーザーは、表示部８１を開いたものとする。制御部８０は、開閉検出部８３から出力されてくる信号に基づいて、表示部８１が開状態であると判定し（ステップＳ１０にてＹＥＳ）、切替部８６Ａに、表示部８１の状態を非通電状態から通電状態に切替えさせる（ステップＳ１１）。通電状態への切替え後、制御部８０は、画像形成装置１によって実行可能な複数の機能のうちのいずれかを選択するための選択指示を受付けているか否かを判定する（ステップＳ１２）。
【００９６】
（１−１）選択指示を受付けていない場合
この場合、端末装置３の電源が投入された直後であり、ユーザーによる機能の選択が行なわれていないので、制御部８０は、選択指示を受付けていないと判定し（ステップＳ１２にてＮＯ）、表示装置９２に、ホーム画面５０を表示させているか否かを判定する（ステップＳ１３）。この場合、制御部８０は、表示装置９２に何も表示させていないので、ホーム画面５０を表示させていないと判定し（ステップＳ１３にてＮＯ）、記憶部８４から、ホーム画面５０を読出す（ステップＳ１４）。
【００９７】
ホーム画面５０の読出し後、制御部８０は、表示装置９２に対し、読出されたホーム画面５０を第２表示面に表示させる（ステップＳ１５）。制御部８０は、表示装置９２に対し、ホーム画面５０における部分５０Ａを表示領域９２Ａに表示させ、ホーム画面５０における部分５０Ｂを表示領域９２Ｂに表示させている。このようにして、制御部８０は、ホーム画面５０を表示装置９２の表示面全体に表示させる。
【００９８】
ホーム画面５０の表示後、制御部８０は、開閉検出部８３から出力されてくる信号に基づいて、表示部８１が閉状態であるか否かを判定する（ステップＳ１６）。この場合、表示部８１は開いたままであるので、制御部８０は、表示部８１が閉状態ではないと判定し（ステップＳ１６にてＮＯ）、ステップＳ１２の処理に進む。
【００９９】
制御部８０は、選択指示を受付けるまで、又は、表示部８１が閉じられるまで、選択指示を受付けていないと判定する処理（ステップＳ１２にてＮＯ）、ホーム画面５０を表示させていると判定する処理（ステップＳ１３にてＹＥＳ）、並びに、ステップＳ１４の処理及びステップＳ１５の処理を実行することなく、表示部８１が閉状態ではないと判定する処理（ステップＳ１６にてＮＯ）を繰返す。
【０１００】
（１−２）選択指示を受付けている場合
ユーザーは、ホーム画面５０を確認し、キー５２をタッチしたものとする。タッチパネル８２を介してキー５２に対するタッチ操作を受付けると、制御部８０は、コピー機能を選択するための選択指示を受付けていると判定し（ステップＳ１２にてＹＥＳ）、表示装置９２に、選択された機能に対応付けられている詳細画面を表示させているか否かを判定する（ステップＳ１７）。
【０１０１】
この場合、制御部８０は、表示装置９２にホーム画面５０を表示させているので、詳細画面を表示させていないと判定し（ステップＳ１７にてＮＯ）、記憶部８４から、選択されている機能に対応付けられている詳細画面を読出す（ステップＳ１８）。この場合、制御部８０は、記憶部８４から、コピー機能に対応付けられている詳細画面６０を読出す。
【０１０２】
詳細画面６０の読出し後、制御部８０は、表示装置９２に対し、読出された詳細画面６０を第２表示面に表示させる（ステップＳ１９）。この場合、制御部８０は、表示装置９２に対し、第１画面６０Ａを表示領域９２Ａに表示させている。ユーザーは、キー６２をタッチしたものとする。制御部８０は、タッチパネル８２を介してキー６２に対するタッチ操作を受付けると、表示装置９２に対し、第２画面６０Ｂを、表示領域９２Ｂに表示させる。
【０１０３】
詳細画面６０の表示後、制御部８０は、ステップＳ１６の処理に進む。この場合、表示部８１は開いたままであるので、制御部８０は、表示部８１が閉状態ではないと判定し（ステップＳ１６にてＮＯ）、ステップＳ１２の処理に進む。
【０１０４】
制御部８０は、表示部８１が閉じられるまで、又は、解除指示を受付けるまで、選択指示を受付けていると判定する処理（ステップＳ１２にてＹＥＳ）、詳細画面を表示させていると判定する処理（ステップＳ１７にてＹＥＳ）、並びに、ステップＳ１８及びステップＳ１９の処理を実行することなく、表示部８１が閉状態ではないと判定する処理（ステップＳ１６にてＮＯ）を繰返す。
【０１０５】
（２）表示部８１が閉状態である場合
ユーザーは、詳細画面６０を確認して、表示部８１を閉じたものとする。制御部８０は、開閉検出部８３から出力されてくる信号に基づいて、表示部８１が閉状態であると判定し（ステップＳ１６にてＹＥＳ）、図４Ｂに示すように、選択指示を受付けているか否かを判定する（ステップＳ２０）。
【０１０６】
（２−１）選択指示を受付けている場合
この場合、コピー機能が選択されたままであるので、制御部８０は、選択指示を受付けていると判定し（ステップＳ２０にてＹＥＳ）、表示装置９２に、選択された機能に対応付けられている簡易画面を表示させているか否かを判定する（ステップＳ２１）。
【０１０７】
この場合、制御部８０は、表示装置９２に詳細画面６０を表示させているので、簡易画面を表示させていないと判定し（ステップＳ２１にてＮＯ）、記憶部８４から、選択されている機能に対応付けられている簡易画面を読出す（ステップＳ２２）。この場合、制御部８０は、記憶部８４から、コピー機能に対応付けられている簡易画面７０を読出す。
【０１０８】
簡易画面７０の読出し後、制御部８０は、表示装置９２に対し、詳細画面６０の表示を終了させて、読出された簡易画面７０を第１表示面に表示させる（ステップＳ２３）。具体的には、制御部８０は、開閉検出部８３から出力されてくる信号に基づいて、表示領域９２Ａ及び表示領域９２Ｂのうち、端末装置３の鉛直方向上方に露出している表示領域９２Ａ又は表示領域９２Ｂを特定し、特定された表示領域９２Ａ又は表示領域９２Ｂを第１表示面に設定する。制御部８０は、第１表示面として設定された表示領域９２Ａ又は表示領域９２Ｂに、簡易画面７０を表示させる。
【０１０９】
簡易画面７０の表示後、制御部８０は、開閉検出部８３から出力されてくる信号に基づいて、表示部８１が開状態であるか否かを判定する（ステップＳ２４）。この場合、表示部８１は閉じたままであるので、制御部８０は、表示部８１が開状態ではないと判定し（ステップＳ２４にてＮＯ）、ステップＳ２０の処理に進む。
【０１１０】
制御部８０は、解除指示を受付けるまで、又は、表示部８１が開かれるまで、選択指示を受付けていると判定する処理（ステップＳ２０にてＹＥＳ）、簡易画面７０を表示させていると判定する処理（ステップＳ２１にてＹＥＳ）、並びに、ステップＳ２２及びステップＳ２３の処理を実行することなく、表示部８１が開状態ではないと判定する処理（ステップＳ２４にてＮＯ）を繰返す。
【０１１１】
ユーザーは、簡易画面７０の表示にしたがってコピー機能に関する各種設定を行なった後、キー７４をタッチしたものとする。タッチパネル８２を介してキー７４に対するタッチ操作を受付けると、制御部１０は、入力されている設定内容を受付ける。制御部１０は、通信部８５を介して、受付けた設定内容を画像形成装置１に送信する。画像形成装置１は、通信部２２を介して、端末装置３から送信されてくる設定内容を受信すると、受信した設定内容を、確定されている設定内容として受付ける。
【０１１２】
キー７４をタッチした後、ユーザーは、コピーを開始するために、画像読取部１１のプラテンガラスに原稿を載置して、スタートキー１６Ｂを押下したものとする。制御部８０は、スタートキー１６Ｂの押下を検知すると、画像読取部１１に対し、確定されている設定内容にしたがって、プラテンガラスに載置されている原稿を読み取らせて画像データを生成させる。画像データの生成後、制御部８０は、画像形成部１２等に対し、生成された画像データに基づく画像を、確定されている設定内容にしたがって、記録紙に形成させる。
【０１１３】
（２−２）選択指示を受付けていない場合
コピー終了後、ユーザーは、簡易画面７０のキー７３をタッチしたものとする。タッチパネル８２を介してキー７３に対するタッチ操作を受付けると、制御部８０は、選択指示を受付けていないと判定し（ステップＳ２０にてＮＯ）、切替部８６Ａの切替状況に基づいて、表示部８１が通電状態であるか否かを判定する（ステップＳ２５）。
【０１１４】
この場合、制御部８０は、表示部８１が通電状態であると判定し（ステップＳ２５にてＹＥＳ）、切替部８６Ａに、表示部８１の状態を通電状態から非通電状態に切替えさせる（ステップＳ２６）。これによって、表示部８１は、スリープモードに移行し、第１表示面及び第２表示面は、画面が表示されていない状態となる。
【０１１５】
非通電状態への切替え後、制御部８０は、ステップＳ２４の処理に進む。この場合、表示部８１は閉じたままであるので、制御部８０は、開閉検出部８３から出力されてくる信号に基づいて、表示部８１が開状態ではないと判定し（ステップＳ２４にてＮＯ）、ステップＳ２０の処理に進む。
【０１１６】
制御部８０は、選択指示を受付けるまで、又は、表示部８１が開かれるまで、選択指示を受付けていないと判定する処理（ステップＳ２０にてＮＯ）、表示部８１は通電状態ではないと判定する処理（ステップＳ２５にてＮＯ）、及び、ステップＳ２６の処理を実行することなく、表示部８１が開状態ではないと判定する処理（ステップＳ２４にてＮＯ）を繰返す。
【０１１７】
この状態において、ユーザーによって表示部８１が開かれた場合、制御部１０は、開閉検出部８３から出力されてくる信号に基づいて、表示部８１が開状態であると判定し（ステップＳ２４にてＹＥＳ）、表示部８１が非通電状態であるか否かを判定する（ステップＳ２５）。この場合、制御部８０は、表示部１５が非通電状態であると判定し（ステップＳ２５にてＹＥＳ）、ステップＳ１１の処理に進む。なお、制御部８０は、表示部８０が非通電状態ではないと判定した場合（ステップＳ２５にてＮＯ）、ステップＳ１２の処理に進む。
【０１１８】
第２の実施形態によれば、制御部８０は、通信部８５を介して、受付けた設定内容を画像形成装置１に対して送信する。これによって、ユーザーは、携帯している端末装置３を用いて、画像形成装置１において実行可能な複数の機能のうちの選択されている機能についての設定を行なうことができるので、ユーザーの利便性がより一層向上する。
【０１１９】
（その他の変形例）
第１の実施形態では、開閉検出部３４として、磁石３４ＢとホールＩＣ３４Ａとが用いられたが、本発明はそのような実施形態に限定されない。例えば、開閉検出部３４として、機械式のスイッチ機構が用いられてもよい。
【０１２０】
第２の実施形態では、端末装置３は、折り畳み可能な表示部１５を備えている画像形成装置１と通信を行なったが、本発明はそのような実施形態に限定されない。例えば、端末装置３は、折り畳み可能に構成されていない表示部を備えている画像形成装置、すなわち、本発明の表示画面変更処理を実行可能に構成されていない画像形成装置と通信を行なう構成であってもよい。
【０１２１】
また第１及び第２の実施形態では、画像形成部１２等は、記録紙に画像を形成したが、本発明はそのような実施形態に限定されない。画像形成部１２等は、記録紙に限らず、他の記録媒体に画像を形成してもよい。他の記録媒体としては、例えば、ＯＨＰ（Overhead Projector）シートを例示できる。
【０１２２】
なお、本発明は第１及び第２の実施形態の構成に限られず種々の変形が可能である。例えば、第１の実施形態では、本発明に係る電子機器を備えている画像形成装置の一実施形態としてカラー複合機を用いているが、これは一例に過ぎず、モノクロ複合機、コピー機、又はファクシミリ装置等を用いてもよい。また第２の実施形態では、本発明に係る電子機器としてタブレット型の端末装置を用いているが、これは一例に過ぎず、例えば、スマートフォンを用いてもよい。
【０１２３】
図１乃至図９を用いて第１及び第２の実施形態により示した構成及び処理は、本発明の一実施形態に過ぎず、本発明を当該構成及び処理に限定する趣旨ではない。
【国際調査報告】
2020262179.tif 000015
2020262179.tif 000016
2020262179.tif 000017
2020262179.tif 000018